(57)【要約】【課題】被災地域の着信者の安否確認の連絡が取れる可能性を高める。【解決手段】本発明は、電話端末と、電話端末を収容する交換機を備える電話交換機網と、を有する電話システムに適用される。この電話システムでは、電話端末の位置情報を格納する位置情報格納部と、発信電話端末からの発信を受けた交換機から、着信電話端末が通知されると、着信電話端末が特定の領域に存在するか否かを判別する判別部と、着信電話端末が特定の領域に存在する場合、着信電話端末から所定の範囲に存在する電話端末を近隣電話端末として検索し、検索された近隣電話端末を交換機に通知する通知部と、を有し、交換機は、着信電話端末と近隣電話端末との接続を要求する接続要求信号を他の交換機に送信する接続要求部と、他の交換機から接続要求信号を受信すると、該接続要求信号により接続を要求された電話端末に対して呼び出し信号を送信する呼び出し部と、を有する。【選択図】図５
2009267597.tif 000002
【特許請求の範囲】
【請求項１】
電話端末と、前記電話端末を収容する交換機を備える電話交換機網と、を有してなる電話システムにおいて、
前記電話端末の位置情報を格納する位置情報格納部と、
発信元の電話端末である発信電話端末からの発信を受けた交換機から、着信先の電話端末である着信電話端末が通知されると、該着信電話端末の位置情報を前記位置情報格納部から検索し、検索された位置情報に基づいて前記着信電話端末が特定の領域に存在するか否かを判別する判別部と、
前記着信電話端末が特定の領域に存在する場合、前記位置情報格納部に格納された位置情報に基づいて、前記着信電話端末から所定の範囲に存在する電話端末を近隣電話端末として検索し、検索された近隣電話端末を前記交換機に通知する通知部と、を有し、
前記交換機は、
前記着信電話端末と前記近隣電話端末との接続を要求する接続要求信号を他の交換機に送信する接続要求部と、
他の交換機から前記接続要求信号を受信すると、該接続要求信号により接続を要求された電話端末に対して呼び出し信号を送信する呼び出し部と、を有することを特徴とする電話システム。
【請求項２】
所定の呼び出し時間を計測するタイマー部をさらに有し、
前記通知部は、前記着信電話端末が特定の領域に存在すると判定された時点で、前記タイマー部に前記所定の呼び出し時間を繰り返し計測するよう指示するとともに、前記近隣電話端末を検索し、前記タイマー部にて前記所定の呼び出し時間の計測が完了すると検索された近隣電話端末を前記交換機に通知し、以降、前記タイマー部にて前記所定の呼び出し時間の計測が完了する度に前記所定の範囲を拡大した上で前記近隣電話端末を新たに検索し、新たに検索された近隣電話端末を前記交換機に通知し、
前記接続要求部は、前記通知部から前記近隣電話端末が通知される度に、通知された近隣電話端末との接続を要求する接続要求信号を他の交換機に送信する、請求項１に記載の電話システム。
【請求項３】
前記接続要求部は、前記接続要求信号の送信先の他の交換機との間で、該接続要求信号により接続を要求された電話端末と前記発信電話端末との間を接続するための通話回線を確保する、請求項１または２に記載の電話システム。
【請求項４】
前記通知部は、前記タイマー部にて前記所定の呼び出し時間の計測が完了する度に、前回の前記所定の呼び出し時間の計測完了時に前記交換機に通知した近隣電話端末を、接続を停止する電話端末である接続停止電話端末として前記交換機に通知し、
前記交換機は、
前記接続停止電話端末との接続停止を要求する接続停止要求信号を他の交換機に送信し、他の交換機から前記接続停止信号を受信すると、前記接続停止電話端末と前記発信電話端末との間に確保されている通話回線を解放する接続停止部をさらに有し、
前記呼び出し部は、他の交換機から前記接続停止信号を受信すると、該接続停止要求信号により接続停止を要求された接続停止電話端末への呼び出し信号の送信を停止する、請求項３に記載の電話システム。
【請求項５】
前記交換機は、
前記着信電話端末で応答があった旨を示す着信応答信号を他の交換機に送信し、前記発信電話端末と前記近隣電話端末の間で通話が行われている際に、他の交換機から前記着信応答信号を受信すると、前記発信電話端末に接続する通話回線を、前記着信電話端末との間に確保されている通話回線に変更する着信応答部を有する、請求項３または４に記載の電話システム。
【請求項６】
前記接続要求部は、前記接続要求信号のうち送信先の他の交換機が同一である接続要求信号を１つにまとめて送信し、前記接続要求信号の送信先の他の交換機との間に通話回線が確保されていなければ通話回線を１回線分確保する、請求項１に記載の電話システム。
【請求項７】
電話端末を収容する交換機を備える電話交換機網に接続された位置情報サーバーであって、
発信元の電話端末である発信電話端末からの発信を受けた交換機から、着信先の電話端末である着信電話端末が通知されると、前記電話端末の位置情報を格納する位置情報格納部から、前記着信電話端末の位置情報を検索し、検索された位置情報に基づいて前記着信電話端末が特定の領域に存在するか否かを判別する判別部と、
前記着信電話端末が特定の領域に存在する場合、前記位置情報格納部に格納された位置情報に基づいて、前記着信電話端末から所定の範囲に存在する電話端末を近隣電話端末として検索し、前記交換機に対し、検索された近隣電話端末を通知するとともに、該近隣電話端末に対し呼び出し信号を送信するよう指示する通知部と、を有することを特徴とする位置情報サーバー。
【請求項８】
所定の呼び出し時間を計測するタイマー部をさらに有し、
前記通知部は、前記着信電話端末が特定の領域に存在すると判定された時点で、前記タイマー部に前記所定の呼び出し時間を繰り返し計測するよう指示するとともに、前記近隣電話端末を検索し、前記タイマー部にて前記所定の呼び出し時間の計測が完了すると検索された近隣電話端末を前記交換機に通知し、以降、前記タイマー部にて前記所定の呼び出し時間の計測が完了する度に前記所定の範囲を拡大した上で前記近隣電話端末を新たに検索し、新たに検索された近隣電話端末を前記交換機に通知する、請求項７に記載の位置情報サーバー。
【請求項９】
前記通知部は、前記タイマー部にて前記所定の呼び出し時間の計測が完了する度に、前記交換機に対し、前回の前記所定の呼び出し時間の計測完了時に前記交換機に通知した近隣電話端末への呼び出し信号の送信を停止するよう指示する、請求項８に記載の位置情報サーバー。
【請求項１０】
位置情報サーバーに接続されるとともに、電話端末を収容する交換機であって、
発信元の電話端末である発信電話端末からの発信を受け、着信先の電話端末である着信電話端末と、前記位置情報サーバーから通知された前記着信電話端末から所定の範囲に存在する電話端末である近隣電話端末と、の接続を要求する接続要求信号を他の交換機に送信する接続要求部と、
他の交換機から前記接続要求信号を受信すると、該接続要求信号により接続を要求された電話端末に対して呼び出し信号を送信する呼び出し部と、を有することを特徴とする交換機。
【請求項１１】
前記接続要求部は、前記発信電話端末からの発信を受け、前記着信電話端末を前記位置情報サーバーに通知するとともに、前記着信電話端末との接続を要求する接続要求信号を他の交換機に送信し、前記位置情報サーバーから前記近隣電話端末が通知されると、前記近隣電話端末との接続を要求する接続要求信号を他の交換機に送信する、請求項１０に記載の交換機。
【請求項１２】
前記接続要求部は、前記接続要求信号の送信先の他の交換機との間で、該接続要求信号により接続を要求された電話端末と前記発信電話端末との間を接続するための通話回線を確保する、請求項１１に記載の交換機。
【請求項１３】
前記位置情報サーバーから、接続を停止する電話端末である接続停止電話端末が通知される度に、該接続停止電話端末との接続停止を要求する接続停止要求信号を他の交換機に送信し、他の交換機から前記接続停止信号を受信すると、前記接続停止電話端末と前記発信電話端末との間に確保されている通話回線を解放する接続停止部をさらに有し、
前記呼び出し部は、他の交換機から前記接続停止要求信号を受信すると、該接続停止要求信号により接続停止を要求された接続停止電話端末への呼び出し信号の送信を停止する、請求項１２に記載の交換機。
【請求項１４】
前記着信電話端末で応答があった旨を示す着信応答信号を他の交換機に送信し、前記発信電話端末と前記近隣電話端末の間で通話が行われている際に、他の交換機から前記着信応答信号を受信すると、前記発信電話端末に接続する通話回線を、前記着信電話端末との間に確保されている通話回線に変更する着信応答部を有する、請求項１２または１３に記載の交換機。
【請求項１５】
前記接続要求部は、前記発信電話端末からの発信を受け、前記着信電話端末を前記位置情報サーバーに通知し、前記位置情報サーバーから前記近隣電話端末が通知されると、前記着信電話端末と前記近隣電話端末との接続を要求する接続要求信号を他の交換機に送信する、請求項１０に記載の交換機。
【請求項１６】
前記接続要求信号のうち送信先の他の交換機が同一である接続要求信号を１つにまとめて送信し、前記接続要求信号の送信先の他の交換機との間に通話回線が確保されていなければ通話回線を１回線分確保する、請求項１５に記載の交換機。
【請求項１７】
電話端末を収容する交換機を備える電話交換機網に接続された位置情報サーバーが行う電話システム制御方法であって、
発信元の電話端末である発信電話端末からの発信を受けた交換機から、着信先の電話端末である着信電話端末が通知されると、前記電話端末の位置情報を格納する位置情報格納部から、前記着信電話端末の位置情報を検索し、検索された位置情報に基づいて前記着信電話端末が特定の領域に存在するか否かを判別する判別ステップと、
前記着信電話端末が特定の領域に存在する場合、前記位置情報格納部に格納された位置情報に基づいて、前記着信電話端末から所定の範囲に存在する電話端末を近隣電話端末として検索し、前記交換機に対し、検索された近隣電話端末を通知するとともに、該近隣電話端末に対し呼び出し信号を送信するよう指示する通知ステップと、を有することを特徴とする電話システム制御方法。
【請求項１８】
前記通知ステップにおいて、
前記着信電話端末が特定の領域に存在すると判定された時点で、タイマー部に所定の呼び出し時間を繰り返し計測するよう指示するとともに、前記近隣電話端末を検索し、前記タイマー部にて前記所定の呼び出し時間の計測が完了すると検索された近隣電話端末を前記交換機に通知し、以降、前記タイマー部にて前記所定の呼び出し時間の計測が完了する度に前記所定の範囲を拡大した上で前記近隣電話端末を新たに検索し、新たに検索された近隣電話端末を前記交換機に通知する、請求項１７に記載の電話システム制御方法。
【請求項１９】
前記タイマー部にて前記所定の呼び出し時間の計測が完了する度に、前記交換機に対し、前回の前記所定の呼び出し時間の計測完了時に前記交換機に通知した近隣電話端末への呼び出し信号の送信を停止するよう指示する接続停止ステップをさらに有する、請求項１８に記載の電話システム制御方法。
【請求項２０】
位置情報サーバーに接続されるとともに、電話端末を収容する交換機が行う電話システム制御方法であって、
発信元の電話端末である発信電話端末からの発信を受け、着信先の電話端末である着信電話端末と、前記位置情報サーバーから通知された前記着信電話端末から所定の範囲に存在する電話端末である近隣電話端末と、の接続を要求する接続要求信号を他の交換機に送信する接続要求ステップと、
他の交換機から前記接続要求信号を受信すると、該接続要求信号により接続を要求された電話端末に対して呼び出し信号を送信する呼び出し開始ステップと、を有することを特徴とする電話システム制御方法。
【請求項２１】
前記発信電話端末からの発信を受け、前記着信電話端末を前記位置情報サーバーに通知する検索要求ステップをさら有し、
前記接続要求ステップは、
前記着信電話端末との接続を要求する接続要求信号を他の交換機に送信する第１の接続要求ステップと、
前記位置情報サーバーから前記着信電話端末から所定の範囲に存在する電話端末である近隣電話端末が通知されると、前記近隣電話端末との接続を要求する接続要求信号を他の交換機に送信する第２の接続要求ステップと、を有する、請求項２０に記載の電話システム制御方法。
【請求項２２】
前記接続要求信号の送信先の他の交換機との間で、該接続要求信号により接続を要求された電話端末と前記発信電話端末との間を接続するための通話回線を確保する回線確保ステップをさらに有する、請求項２１に記載の電話システム制御方法。
【請求項２３】
前記位置情報サーバーから、接続を停止する電話端末である接続停止電話端末が通知される度に、該接続停止電話端末との接続停止を要求する接続停止要求信号を他の交換機に送信する接続停止要求ステップと、
他の交換機から前記接続停止信号を受信すると、前記接続停止電話端末と前記発信電話端末との間に確保されている通話回線を解放する回線開放ステップと、
他の交換機から前記接続停止要求信号を受信すると、該接続停止要求信号により接続停止を要求された接続停止電話端末への呼び出し信号の送信を停止する呼び出し停止ステップと、をさらに有する、請求項２２に記載の電話システム制御方法。
【請求項２４】
前記着信電話端末で応答があった旨を示す着信応答信号を他の交換機に送信する応答通知ステップと、
前記発信電話端末と前記近隣電話端末の間で通話が行われている際に、他の交換機から前記着信応答信号を受信すると、前記発信電話端末に接続する通話回線を、前記着信電話端末との間に確保されている通話回線に変更する回線変更ステップと、をさらに有する、請求項２２または２３に記載の電話システム制御方法。
【請求項２５】
発信元の電話端末である発信電話端末からの発信を受け、前記着信電話端末を前記位置情報サーバーに通知する検索要求ステップを、さら有し、
前記接続要求ステップは、
前記接続要求信号のうち送信先の他の交換機が同一である接続要求信号を１つにまとめて送信し、前記接続要求信号の送信先の他の交換機との間に通話回線が確保されていなければ通話回線を１回線分確保する回線確保ステップを有する、請求項２０に記載の電話システム制御方法。
【発明の詳細な説明】
【技術分野】
【０００１】
本発明は、電話システム、位置情報サーバー、交換機、電話システム制御方法に関する。
【背景技術】
【０００２】
図２４に、一般的な電話システムの構成の一例を示す。図２４に示すような電話システムは、例えば、特許文献１，２に開示されている。
【０００３】
図２４に示した電話システムは、電話交換機網として、交換機１００〜４００と、交換機１００〜４００間を接続する中継交換機５００と、を有している。
【０００４】
交換機１００〜４００は、固定電話や携帯電話などの電話端末を収容する。図２４においては、交換機１００は固定電話である電話端末１０１〜１０３を、交換機２００は、固定電話である電話端末２０１〜２０３を、交換機３００は携帯電話である電話端末３０１〜３０３を、交換機４００は携帯電話である電話端末４０１〜４０３を、それぞれ収容している。
【０００５】
また、交換機３００，４００は、携帯電話末基地局の機能も有しているものとするが、電話端末と交換機との間の通信が有線で行われるか無線で行われるかは本発明の関与する所ではないため名称を交換機としている。
【０００６】
また、交換機１００〜４００および中継交換機５００は、後述する接続要求信号や呼び出し信号等の各種信号を、信号網を介して送受信する。
【０００７】
また、交換機１００〜４００および中継交換機５００は、発信元の電話端末と着信先の電話端末との間を接続するための通話回線を確保する。電話端末間では、この通話回線を介して通話音声を送受信することになる。
【０００８】
以下に、図２４に示した電話システムの動作について説明する。
【０００９】
ここでは、図２５に示すように、電話端末１０２から電話端末２０１に向けて発信を行った場合の動作について、図２６を参照して説明する。
【００１０】
図２６を参照すると、まず、電話端末１０２は、電話端末２０１の電話番号を指定した発信操作が行われると、電話端末２０１の電話番号を含む番号発信信号を、交換機１００に送信する（ステップ１００１）。
【００１１】
交換機１００は、電話端末１０２から番号発信信号を受信すると、電話端末２０１との接続を要求する接続要求信号を、中継交換機５００に送信する（ステップ１００２）。なお、接続要求信号には、接続を要求する電話端末２０１の電話番号が含まれている。
【００１２】
以降、電話端末１０２と電話端末２０１との間の接続に関わる信号および通話回線には、サフィックスとして１を付ける。
【００１３】
中継交換機５００は、交換機１００から接続要求信号１を受信すると、受信した接続要求信号１に含まれている電話端末２０１の電話番号に基づき、電話端末２０１を収容している交換機２００を判別し、接続要求信号１を交換機２００に転送する（ステップ１００３）。
【００１４】
交換機２００は、中継交換機５００から接続要求信号１を受信すると、電話端末２０１が通話出来る状態であるか否か、つまり、空き状態であるか否かを調査する。
【００１５】
また、この間に、接続要求信号１をルーティングした中継交換機５００および交換機１００，２００は、電話端末１０２と電話端末２０１とを接続するための通話回線１を、交換機１００と交換機２００の間に確保する（ステップ１００４〜１００６）。
【００１６】
次に、交換機２００は、電話端末２０１が空き状態であれば、電話端末２０１に呼び出し信号を送信するとともに、中継交換機５００および交換機１００を介して電話端末１０２に呼び出し信号を送信する（ステップ１００８〜１０１１）。
【００１７】
ここで、電話端末２０１は、呼び出し信号に応答する操作、つまり受話器を上げる操作が行われると、応答信号１を交換機２００に送信する（ステップ１０１２）。
【００１８】
交換機２００は、電話端末２０１から応答信号１を受信すると、電話端末２０１で応答があった旨を示す着信応答信号１を、中継交換機５００に送信する（ステップ１０１３）。
【００１９】
また、このとき、交換機２００は、電話端末１０２および電話端末２０１への呼び出し信号の送信を停止し（ステップ１０１５）、電話端末２０１を通話回線１に接続する。
【００２０】
中継交換機５００は、交換機２００から受信した着信応答信号１を、交換機１００に転送する（ステップ１０１４）。
【００２１】
交換機１００は、中継交換機５００から着信応答信号１を受信すると、電話端末１０２を通話回線１に接続する。
【００２２】
その後、電話端末１０２と電話端末２０１との間では、通話回線１を用いて通話が開始される（ステップ１０１６）。
【特許文献１】特開平５−２３６１２３号公報
【特許文献２】特開平５−２３６０９３号公報
【発明の開示】
【発明が解決しようとする課題】
【００２３】
ところで、大地震などの大災害が発生した場合、被災地域以外の地域に居住あるいは滞在する発信者から、被災地域に居住あるいは滞在している着信者への安否確認等の緊急連絡を確実に行いたいというニーズがある。
【００２４】
しかし、被災地域では、家屋倒壊、電話線切断、携帯電話基地局サービス停止などの様々な事情により、被災地域以外の地域に居住あるいは滞在する発信者からの呼び出しに、着信者が直接応答できない場合が多々存在する。
【００２５】
そのため、上述した一般的な電話システムでは、大災害発生時の、上述した発信者のニーズを、必ずしも満たすこと事が出来ないという課題ある。
【００２６】
そのため、本発明の目的は、上述した課題を解決することが出来る電話システム、位置情報サーバー、交換機、電話システム制御方法を提供することにある。
【課題を解決するための手段】
【００２７】
上記目的を達成するために本発明の電話システムは、
電話端末と、前記電話端末を収容する交換機を備える電話交換機網と、を有してなる電話システムにおいて、
前記電話端末の位置情報を格納する位置情報格納部と、
発信元の電話端末である発信電話端末からの発信を受けた交換機から、着信先の電話端末である着信電話端末が通知されると、該着信電話端末の位置情報を前記位置情報格納部から検索し、検索された位置情報に基づいて前記着信電話端末が特定の領域に存在するか否かを判別する判別部と、
前記着信電話端末が特定の領域に存在する場合、前記位置情報格納部に格納された位置情報に基づいて、前記着信電話端末から所定の範囲に存在する電話端末を近隣電話端末として検索し、検索された近隣電話端末を前記交換機に通知する通知部と、を有し、
前記交換機は、
前記着信電話端末と前記近隣電話端末との接続を要求する接続要求信号を他の交換機に送信する接続要求部と、
他の交換機から前記接続要求信号を受信すると、該接続要求信号により接続を要求された電話端末に対して呼び出し信号を送信する呼び出し部と、を有することを特徴とする。
【００２８】
上記目的を達成するために本発明の位置情報サーバーは、
電話端末を収容する交換機を備える電話交換機網に接続された位置情報サーバーであって、
発信元の電話端末である発信電話端末からの発信を受けた交換機から、着信先の電話端末である着信電話端末が通知されると、前記電話端末の位置情報を格納する位置情報格納部から、前記着信電話端末の位置情報を検索し、検索された位置情報に基づいて前記着信電話端末が特定の領域に存在するか否かを判別する判別部と、
前記着信電話端末が特定の領域に存在する場合、前記位置情報格納部に格納された位置情報に基づいて、前記着信電話端末から所定の範囲に存在する電話端末を近隣電話端末として検索し、前記交換機に対し、検索された近隣電話端末を通知するとともに、該近隣電話端末に対し呼び出し信号を送信するよう指示する通知部と、を有することを特徴とする。
【００２９】
上記目的を達成するために本発明の交換機は、
位置情報サーバーに接続されるとともに、電話端末を収容する交換機であって、
発信元の電話端末である発信電話端末からの発信を受け、着信先の電話端末である着信電話端末と、前記位置情報サーバーから通知された前記着信電話端末から所定の範囲に存在する電話端末である近隣電話端末と、の接続を要求する接続要求信号を他の交換機に送信する接続要求部と、
他の交換機から前記接続要求信号を受信すると、該接続要求信号により接続を要求された電話端末に対して呼び出し信号を送信する呼び出し部と、を有することを特徴とする。
【００３０】
上記目的を達成するために本発明の第１の電話システム制御方法は、
電話端末を収容する交換機を備える電話交換機網に接続された位置情報サーバーが行う電話システム制御方法であって、
発信元の電話端末である発信電話端末からの発信を受けた交換機から、着信先の電話端末である着信電話端末が通知されると、前記電話端末の位置情報を格納する位置情報格納部から、前記着信電話端末の位置情報を検索し、検索された位置情報に基づいて前記着信電話端末が特定の領域に存在するか否かを判別する判別ステップと、
前記着信電話端末が特定の領域に存在する場合、前記位置情報格納部に格納された位置情報に基づいて、前記着信電話端末から所定の範囲に存在する電話端末を近隣電話端末として検索し、前記交換機に対し、検索された近隣電話端末を通知するとともに、該近隣電話端末に対し呼び出し信号を送信するよう指示する通知ステップと、を有することを特徴とする。
【００３１】
上記目的を達成するために本発明の第２の電話システム制御方法は、
位置情報サーバーに接続されるとともに、電話端末を収容する交換機が行う電話システム制御方法であって、
発信元の電話端末である発信電話端末からの発信を受け、着信先の電話端末である着信電話端末と、前記位置情報サーバーから通知された前記着信電話端末から所定の範囲に存在する電話端末である近隣電話端末と、の接続を要求する接続要求信号を他の交換機に送信する接続要求ステップと、
他の交換機から前記接続要求信号を受信すると、該接続要求信号により接続を要求された電話端末に対して呼び出し信号を送信する呼び出し開始ステップと、を有することを特徴とする電話システム制御方法。
【発明の効果】
【００３２】
本発明によれば、位置情報サーバーでは、着信電話端末が被災地域に存在する場合、着信電話端末から所定の範囲に存在する近隣電話端末を検索し、電話交換機網では、着信電話端末および近隣電話端末に対し、それらの電話端末を収容している交換機から呼び出し信号を送信する。
【００３３】
このように、着信電話端末以外に、近隣電話端末に対しても呼び出し信号が送信されるため、着信者の安否確認等の緊急連絡が取れる可能性を高めることが出来るという効果が得られる。
【発明を実施するための最良の形態】
【００３４】
以下に、本発明を実施するための最良の形態について図面を参照して説明する。
【００３５】
（第１の実施形態）
図１に、本発明の第１の実施形態の電話システムの構成を示す。
【００３６】
図１に示すように、本実施形態の電話システムは、図２４に示した電話システムと比較して、交換機１００〜４００の代わりに、交換機１１０〜４１０を設けている点と、位置情報サーバー６１０を追加している点と、が異なる。なお、図１において、図２４に示した電話システムと同様の構成要素については同一の符号を付し、詳細な説明を省略する。
【００３７】
交換機１１０〜４１０は、発信元の電話端末からの発信を受けると、位置情報サーバー６１０に対し、着信先の電話端末を通知する。
【００３８】
位置情報サーバー６１０は、着信先の電話端末が特定の領域に存在する場合、着信先の電話端末から所定の範囲に存在する近隣の電話端末を交換機１１０〜４１０に通知する。
【００３９】
交換機１１０〜４１０は、着信先の電話端末と位置情報サーバー６１０から通知された近隣電話端末との接続を要求する接続要求信号を、これら電話端末をそれぞれ収容している他の交換機に向けて送信し、他の交換機から接続要求信号を受信すると、その接続要求信号により要求された電話端末に対し呼び出し信号を送信する。
【００４０】
ここで、本発明の特徴部分である位置情報サーバー６１０および交換機１１０〜４１０の構成について説明する。
【００４１】
まず、位置情報サーバー６１０の構成について説明する。
【００４２】
図２に、位置情報サーバー６１０の構成の一例を示す。
【００４３】
図２に示すように、位置情報サーバー６１０は、制御端末インタフェース部６１１と、交換機インタフェース部６１２と、範囲情報設定部６１３と、位置情報格納部である位置情報データベース６１４と、グループ接続制御部６１５と、を有している。
【００４４】
制御端末インタフェース部６１１は、データセンター等に配置されている制御端末（不図示）との通信手段である。本電話システムの管理者は、制御端末から、制御端末インタフェース部６１１を介して、位置情報サーバー６１０の管理を行う。
【００４５】
交換機インタフェース部６１２は、各交換機との通信手段である。
【００４６】
位置情報データベース６１４は、電話端末の位置情報をその電話端末の電話番号情報と対応付けて格納するとともに、特定の領域の位置情報を格納している。なお、特定の領域の位置情報は、管理者が制御端末から格納する。また、電話端末の位置情報として、固定電話以外に携帯電話の位置情報も格納する必要があるが、携帯電話の位置情報としては、複数の基地局からの情報により特定される位置情報や、各携帯電話のＧＰＳ情報などを使用することが出来る。本発明では、電話端末の位置特定方法には特に限定がないため、詳細な説明を省略する。
【００４７】
範囲情報設定部６１３は、着信先の電話端末の近隣の電話端末を検索する範囲となる、所定の範囲の範囲情報を格納している。なお、範囲情報としては、例えば半径５０メートルのように、範囲を示す値が格納されている。また、所定の範囲の範囲情報は、管理者が制御端末から格納する。
【００４８】
判別部６１６と通知部６１７を有するグループ接続制御部６１５は、交換機１１０〜４１０から通知された着信先の電話端末の電話番号に基づき、位置情報データベース６１４を検索し、検索された着信先の電話端末の位置情報に基づいて、着信先の電話端末が特定の領域に存在するか否かを判別する。
【００４９】
グループ接続制御部６１５は、着信先の電話端末が特定の領域に存在する場合、位置情報データベース６１４に格納された各電話端末の位置情報に基づいて、着信先の電話端末から所定の範囲に存在する電話端末を検索し、検索された電話端末を交換機１１０〜４１０に通知する。
【００５０】
また、グループ接続制御部６１５は、各交換機から着信応答信号を受信すると、応答があった電話端末以外で呼び出し信号が送信されている電話端末が、呼び出し信号の送信を停止し通話回線を解放する、つまり接続を停止する電話端末である旨を交換機１１０〜４１０に通知する。
【００５１】
次に、交換機１１０〜４１０の構成について説明する。以下では、交換機１１０の構成について説明するが、他の交換機２１０〜４１０も同様の構成となっている。
【００５２】
図３に、交換機１１０の構成を示す。
【００５３】
図３に示すように、交換機１１０は、通信部１１１と、接続要求部１１２と、呼び出し部１１３と、着信応答部１１４と、接続停止部１１５と、を有している。
【００５４】
通信部１１１は、収容している電話端末、中継交換機５００、および位置情報サーバー６１０との通信手段である。
【００５５】
接続要求部１１２は、発信元の電話端末からの発信を受けると、着信先の電話端末との接続を要求する接続要求信号を、着信先の電話端末を収容している交換機に向けて送信するとともに、着信先の電話端末を位置情報サーバー６１０に通知する。
【００５６】
接続要求部１１２は、位置情報サーバー６１０から、着信先の電話端末の近隣の電話端末が通知されると、通知された電話端末との接続を要求する接続要求信号を、その電話端末を収容している他の交換機に向けて送信する。
【００５７】
また、接続要求部１１２は、発信元の電話端末と接続を要求された電話端末とを接続するため、接続要求信号を送信した交換機と通信部１１１との間に通話回線を確保する。
【００５８】
さらに、接続要求部１１２は、他の交換機から接続要求信号を受信すると、その接続要求信号により接続を要求された電話端末に対し呼び出し信号の送信を開始するよう呼び出し部１１３に指示する。
【００５９】
呼び出し部１１３は、接続要求部１１２から指示された電話端末に対し、呼び出し信号を送信する。また、呼び出し部１１３は、他の交換機から呼び出し信号を受信した場合、その呼び出し信号を、発信元の電話端末に転送する。
【００６０】
着信応答部１１４は、呼び出し部１１３が呼び出し信号を送信している電話端末から、呼び出し信号への応答があると、応答があった旨を通知する着信応答信号を、発信元の電話端末を収容している交換機に送信する。このとき、着信応答部１１４は、応答があった電話端末を、確保している通話回線に接続する。
【００６１】
また、着信応答部１１４は、他の交換機から着信応答信号を受信すると、発信元の電話端末を、確保している通話回線に接続する。
【００６２】
接続停止部１１５は、他の交換機から着信応答部１１４にて受信された着信応答信号を位置情報サーバー６１０に転送する。
【００６３】
接続停止部１１５は、位置情報サーバー６１０から、接続を停止する電話端末の電話番号が通知されると、通知された電話端末に対する接続停止要求信号を、その電話端末を収容している交換機に向けて送信する。
【００６４】
また、接続停止部１１５は、他の交換機から接続停止要求信号を受信すると、その接続停止要求信号により接続停止を要求された電話端末に対し呼び出し信号送信を停止するよう呼び出し部１１３に指示する。このとき、接続停止部１１５は、接続停止要求信号を受信した交換機と通信部１１１との間の通話回線を解放する。
【００６５】
以下に、本実施形態の動作を説明する。以下では、大災害が発生したため、管理者が、特定の領域として被災地域の位置情報を位置情報データベース６１４に格納しているものとする。
【００６６】
まず、交換機１１０〜４１０に収容されている電話端末が図４に示すような位置関係になっている状態で、電話端末１０２から電話端末２０１に向けて発信を行った場合の動作について説明する。
【００６７】
また、図４の範囲１を、範囲情報設定部６１３に範囲情報が格納されている所定の範囲とする。
【００６８】
この場合、電話端末（発信電話端末）１０２から電話端末（着信電話端末）２０１に向けて発信を行うと、図５に示すように、電話端末２０１以外に、図４の範囲１の内側に存在している電話端末（近隣電話端末）２０２，３０２との間にも通話回線が確保され、電話端末２０１，２０２，３０２に呼び出し信号の送信が開始される。
【００６９】
なお、図５においては、着信電話端末である電話端末２０１との間の通話回線を実線で示し、近隣電話端末である電話端末２０２，３０２との間の通話回線を点線で示し、両者を区別している。
【００７０】
このときの、本実施形態の動作を、図６を参照して説明する。
【００７１】
図６を参照すると、電話端末１０２は、電話端末２０１の電話番号を指定した発信操作が行われると、電話端末２０１の電話番号を含む番号発信信号を交換機１１０に送信する（ステップ２００１）。
【００７２】
交換機１１０では、電話端末１０２から番号発信信号を受信すると、接続要求部１１２は電話端末２０１の電話番号を含む接続要求信号１を、中継交換機５００に送信する（ステップ２００２）。
【００７３】
中継交換機５００は、交換機１１０から接続要求信号１を受信すると、接続要求信号１に含まれている電話端末２０１の電話番号に基づき、電話端末２０１が収容されている交換機２１０を判別し、接続要求信号１を交換機２１０に転送する（ステップ２００３）。
【００７４】
また、交換機１１０では、接続要求部１１２は、電話端末２０１の電話番号を含む検索要求信号１を、位置情報サーバー６１０に送信する。
【００７５】
位置情報サーバー６１０では、検索要求信号１を受信すると、グループ接続制御部６１５は、検索要求信号１に含まれている電話端末２０１の電話番号に基づき、位置情報データベース６１４から電話端末２０１の位置情報を検索し、検索された電話端末２０１の位置情報と位置情報データベース６１４に格納されている被災地域の位置情報とに基づいて、電話端末２０１が被災地域に存在するか否かを判別する。
【００７６】
位置情報サーバー６１０では、グループ接続制御部６１５は、電話端末２０１が存在する地域が被災地域ではない場合、その旨を伝える信号を、交換機１１０に送信し、処理を終了する。また、交換機１１０は、位置情報サーバー６１０から電話端末２０１が存在する地域が被災地域でない旨を伝える信号を受信すると、接続要求信号の送信処理を終了する。
【００７７】
一方、位置情報サーバー６１０では、グループ接続制御部６１５は、電話端末２０１が被災地域に存在する場合、範囲情報設定部６１３に格納されている所定の範囲の範囲情報と、電話端末２０１の電話番号とに基づき、電話端末２０１から所定の範囲に存在する電話端末（近隣電話端末）の電話番号を位置情報データベース６１４から検索する。ここでは、電話端末２０１から所定の範囲（範囲１）に存在する電話端末２０２，３０２の電話番号が検索される。
【００７８】
次に、位置情報サーバー６１０では、グループ接続制御部６１５は、交換機１１０に対し、検索された電話端末２０２，３０２の電話番号と、電話端末２０２，３０２に呼び出し信号を送信する旨の指示を含むグループ接続開始信号を送信する（ステップ２００５）
交換機１１０では、位置情報サーバー６１０からグループ接続開始信号を受信すると、接続要求部１１２は、受信したグループ接続開始信号に基づき、電話端末２０２の電話番号を含むグループ接続要求信号と（ステップ２００６）、電話端末３０２の電話番号を含むグループ接続要求信号と（ステップ２００８）、を中継交換機５００に送信する。
【００７９】
以降、電話端末１０２と電話端末２０２との間の接続に関わる信号および通話回線にサフィックスとして２を付け、電話端末１０２と電話端末３０２との間の接続に関わる信号および通話回線にサフィックスとして３を付ける。
【００８０】
中継交換機５００は、交換機１１０からグループ接続要求信号２を受信すると、グループ接続要求信号２を交換機２１０に転送する（ステップ２００７）。また、交換機１１０からグループ接続要求信号３を受信すると、グループ接続要求信号３を交換機３１０に転送する（ステップ２００９）。
【００８１】
交換機２１０では、中継交換機５００からグループ接続要求信号２を受信すると、接続要求部１１２は、電話端末２０２が通話可能な状態であるか否か、つまり空き状態であるか否かを調査する。
【００８２】
なお、交換機２１０では、中継交換機５００から接続要求信号１も受信しているため、接続要求部１１２は、電話端末２０１が空き状態か否かも調査する。
【００８３】
また、交換機３１０では、接続要求部１１２は、中継交換機５００からグループ接続要求信号３を受信すると、電話端末３０２が空き状態か否かを調査する。
【００８４】
この間に、接続要求信号１およびグループ接続要求信号２，３をルーティングした中継交換機５００および交換機１１０〜３１０は、各交換機を接続する通話回線の確保を行う（ステップ２０１０〜２０１３）。
【００８５】
これにより、交換機１１０と交換機２１０とは、通話回線１による通常接続と、通話回線２によるグループ接続と、により接続されたことになる。また、交換機１１０と交換機３１０とは、通話回線３によるグループ接続で接続されたことになる。
【００８６】
次に、交換機２１０では、電話端末２０１が空き状態であれば、接続要求部１１２は、電話端末２０１に対する呼び出し信号１の送信と、中継交換機５００および交換機１１０を介した電話端末１０２に対する呼び出し信号１の送信を開始するよう呼び出し部１１３に指示する（ステップ２０１４〜２０１７）。
【００８７】
また、交換機２１０では、電話端末２０２が空き状態であれば、接続要求部１１２は、電話端末２０２に対する呼び出し信号２の送信と、中継交換機５００および交換機１１０を介した電話端末１０２に対する呼び出し信号２の送信を開始するよう呼び出し部１１３に指示する（ステップ２０１８〜２０２１）。
【００８８】
同様に、交換機３１０では、電話端末３０２が空き状態であれば、接続要求部１１２は、電話端末３０２に対する呼び出し信号３の送信と、中継交換機５００および交換機１１０を介した電話端末１０２に対する呼び出し信号３の送信を開始するよう呼び出し部１１３に指示する（ステップ２０２２〜２０２５）。
【００８９】
このとき、着信電話端末である電話端末２０１に対しては通常の呼び出し信号を、近隣電話端末である電話端末２０２および電話端末３０２に対してはグループ接続であることを示す呼び出し信号を送信するなど、通常接続とグループ接続とで呼び出し部１１３から電話端末に送信する呼び出し信号の種類を変えても良い。
【００９０】
この場合、電話端末は、呼び出し信号の種類から接続の種別を判断し、グループ接続の場合、着信音を変える、着信表示を変える、着信メッセージ表示にグループ接続である旨を表示する、などの手段により、使用者にその呼び出しがグループ接続である旨を明確に伝えることが出来る。
【００９１】
この様に、接続の種別により呼び出し信号の種類を変えることにより、近隣電話端末で応答した人が、応答後の対応に混乱をきたさない様な配慮が可能となる。
【００９２】
また、交換機１１０では、呼び出し部１１３は、交換機２１０，３１０から、電話端末１０２に対する呼び出し信号を複数受信することになる。この場合、呼び出し部１１３は、次のようにして呼び出し信号を転送する。
【００９３】
呼び出し部１１３は、着信電話端末である電話端末２０１を収容している交換機２１０と、近隣電話端末である電話端末３０２のみを収容している交換機３１０と、から呼び出し信号を受信した場合、交換機２１０からの呼び出し信号を優先して電話端末１０２に転送する。
【００９４】
また、呼び出し部１１３は、交換機２１０から、着信電話端末である電話端末２０１に対応する呼び出し信号１と、近隣電話端末である電話端末２０２に対応する呼び出し信号２と、を受信した場合、電話端末２０１に対応する呼び出し信号１を優先して電話端末１０２に転送する（ステップ２０２６）。
【００９５】
ここで、電話端末２０２は、呼び出し信号２に応答する操作が行われると、応答信号２を交換機２１０に送信する（ステップ２０２７）。
【００９６】
交換機２１０では、電話端末２０２から応答信号２を受信すると、着信応答部１１４は、電話端末２０２で応答があった旨を示す着信応答信号２を、中継交換機５００に送信する（ステップ２０２８）。
【００９７】
また、交換機２１０では、着信応答部１１４は、応答があった電話端末２０２を、電話端末１０２と接続するための通話回線２に接続する。
【００９８】
中継交換機５００は、交換機２１０から着信応答信号２を受信すると、着信応答信号２を交換機１１０に転送する（ステップ２０２９）。
【００９９】
交換機１１０では、中継交換機５００から着信応答信号２を受信すると、着信応答部１１４は、電話端末１０２を、電話端末２０１と接続するための通話回線２に接続する。
【０１００】
また、交換機１１０では、着信応答部１１４は、受信した着信応答信号２を接続停止部１１５に転送する。
【０１０１】
次に、交換機１１０では、接続停止部１１５は、受信した着信応答信号２を、位置情報サーバー６１０に転送する（ステップ２０３０）。
【０１０２】
位置情報サーバー６１０では、交換機１１０から着信応答信号２を受信すると、グループ接続制御部６１５は、応答があった電話端末２０２以外で呼び出し信号が送信されている電話端末の電話番号を、接続停止電話端末の電話番号としてグループ接続停止信号に含めて交換機１１０に送信する。ここでは、応答があった電話端末２０２以外に、電話端末２０１と電話端末３０２に呼び出し信号が送信されているため、電話端末２０１と電話端末３０２の電話番号を含むグループ接続停止信号が、交換機１１０に送信される（ステップ２０３１）。
【０１０３】
交換機１１０では、位置情報サーバー６１０からグループ接続停止信号を受信すると、接続停止部１１５は、受信したグループ接続停止信号に基づき、電話端末２０１の電話番号を含む接続停止要求信号１と（ステップ２０３２）、電話端末３０２の電話番号を含む接続停止要求信号３と（ステップ２０３４）、を中継交換機５００に送信する。
【０１０４】
中継交換機５００は、交換機１１０から接続停止要求信号１を受信すると、接続停止要求信号１を交換機２１０に転送する（ステップ２０３３）。また、交換機１１０から接続停止要求信号３を受信すると、接続停止要求信号３を交換機３１０に転送する（ステップ２０３５）。
【０１０５】
交換機２１０では、中継交換機５００から接続停止要求信号１を受信すると、接続停止部１１５は、呼び出し信号１の送信を停止するよう呼び出し部１１３に指示する（ステップ２０３６）。
【０１０６】
また、交換機２１０では、電話端末２０２から応答があったため、着信応答部１１４は、呼び出し信号２の送信を停止するよう呼び出し部６１３に指示する（ステップ２０３７）。
【０１０７】
一方、交換機３１０では、中継交換機５００から接続停止要求信号３を受信すると、接続停止部１１５は、呼び出し信号３の送信を停止するよう呼び出し部１１３に指示する（ステップ２０３８）。
【０１０８】
次に、接続停止要求信号１をルーティングした中継交換機５００および交換機１１０，２１０は、接続停止要求信号１に対応する、通話回線１を解放する（ステップ２０３９〜２０４１）。
【０１０９】
また、接続停止要求信号３をルーティングした中継交換機５００および交換機１１０，３１０は、接続停止要求信号３に対応する、通話回線３を解放する（ステップ２０３９〜２０４０，ステップ２０４２）。
【０１１０】
その後、電話端末１０２と電話端末２０２の間で、通話回線２を用いたグループ接続により、通話が開始される（ステップ２０４３）。
【０１１１】
このとき、グループ接続により見知らぬ相手との会話がいきなり開始されると、混乱を来たす恐れがあるため、交換機１１０および交換機２１０の着信応答部１１４のそれぞれは、電話端末１０２と電話端末２０２が通話回線２に接続された後、これがグループ接続による接続である旨のアナウンスを送信するよう呼び出し部１１３に指示しても良い。
【０１１２】
このアナウンスにより、グループ接続により見知らぬ相手との通話が開始されても、混乱することなく会話を行うことが出来る。
【０１１３】
次に、交換機１１０〜４１０に収容されている電話端末が図７に示すような位置関係になっている状態で、電話端末１０２と電話端末２０２の間でグループ接続による通話が行われている際に、電話端末１０３から電話端末２０２に向けて発信を行った場合の動作について説明する。
【０１１４】
上述した様に、電話端末１０２から電話端末２０１に発信する場合、電話端末２０１の近隣の電話端末を検索する範囲は、図７の範囲１の内側となるが、電話端末１０３から電話端末２０２に発信する場合、電話端末２０２の近隣の電話端末を検索する範囲は、図７の範囲１’の内側となる。この範囲１’の内側には、電話端末２０１も存在している。
【０１１５】
このときの、本実施形態の動作を、図８を参照して説明する。
【０１１６】
図８を参照すると、電話端末１０２と電話端末２０２の間でグループ接続による通話が行われている（ステップ２０４３）。
【０１１７】
この状態において、電話端末１０３は、電話端末２０２の電話番号を指定した発信操作が行われると、電話端末２０２の電話番号を含む番号発信信号を、交換機１１０に送信する（ステップ３００１）。
【０１１８】
以降、電話端末１０３と電話端末２０２との間の接続に関わる信号および通話回線には、サフィックスとして１１を付ける。
【０１１９】
交換機１１０では、電話端末１０３から番号発信信号１１を受信すると、接続要求部１１２は、電話端末２０２の電話番号を含む接続要求信号１１を、中継交換機５００に送信する（ステップ３００２）。
【０１２０】
次に、中継交換機５００は、交換機１１０から接続要求信号１１を受信し、接続要求信号１１を交換機２１０に転送する（ステップ３００３）。
【０１２１】
また、交換機１１０では、接続要求部１１５は、電話端末２０２の電話番号を含む検索要求信号１１を、位置情報サーバー６１０に送信する（ステップ３００４）。
【０１２２】
位置情報サーバー６１０では、交換機１１０から検索要求信号１１を受信すると、グループ接続制御部６１５は、電話端末２０２が被災地域に存在するか否かを判断する。
【０１２３】
ここでは、電話端末２０２が被災地域に存在するため、グループ接続制御部６１５は、電話端末２０２から所定の範囲に存在する電話端末の電話番号を検索し、検索された電話端末２０１の電話番号を含むグループ接続開始信号を、交換機１１０に送信する（ステップ３００５）。
【０１２４】
交換機１１０では、位置情報サーバー６１０からグループ接続開始信号を受信すると、接続要求部１１２は、電話端末２０１の電話番号を含むグループ接続要求信号を、中継交換機５００に送信する（ステップ３００６）。
【０１２５】
以降、電話端末１０３と電話端末２０１との間の接続に関わる信号および通話回線には、サフィックスとして１２を付ける。
【０１２６】
中継交換機５００は、交換機１１０からグループ接続要求信号１２を受信すると、グループ接続要求信号１２を交換機２１０に転送する（ステップ３００７）。
【０１２７】
交換機２１０では、中継交換機５００から接続要求信号１１およびグループ接続要求信号１２を受信すると、接続要求部１１２は、電話端末２０１，２０２が空き状態であるかを調査する。
【０１２８】
この間に、接続要求信号１１とグループ接続要求信号１２をルーティングした中継交換機５００および交換機１１０，２１０は、接続要求信号１１に対応する通話回線１１と、グループ接続要求信号１２に対応する通話回線１２と、を各交換機の間で確保する（ステップ３００８〜３０１０）。
【０１２９】
これにより、交換機１１０と交換機２１０の間に、通話回線１１による通常接続と、通話回線１２によるグループ接続と、が確立されたことになる。
【０１３０】
次に、交換機２１０では、グループ接続により通話中である電話端末２０２に対し、通常接続による呼び出しがあることを通知するため、接続要求部１１２は、電話端末２０２，１０３に呼び出し信号１１の送信を開始するよう呼び出し部１１３に指示する（ステップ３０１１〜３０１４）。
【０１３１】
なお、ここでは、交換機２１０の接続要求部１１２は、電話端末２０２がグループ接続により通話中のため、電話端末２０２に対し、通常接続による着信がある旨を示すメッセージを呼び出し信号として送信するよう呼び出し部１１３に指示する。このときのメッセージについては、キャッチホンで使用されている着信音などを用いても良い。また、電話端末２０２が、グループ接続による通話状態から、通常接続による呼び出しに応答する手段についても、キャッチホンの場合と同様に、使用者がフックを短時間押下する操作などにより切り替えるようにしても良い。
【０１３２】
また、交換機２１０では、電話端末２０１が空き状態であれば、接続要求部１１２は、電話端末２０１，１０３に呼び出し信号１の送信を開始するよう呼び出し部１１３に指示する（ステップ３０１５〜３０１９）。
【０１３３】
ここで、電話端末２０２は、グループ接続による通話から通常接続による呼び出しに対する応答に切り替える操作、例えばキャッチホンの切り替えと同様に、フックを短時間押下する操作が行われると、応答信号１１を交換機２１０に送信する（ステップ３０２０）。
【０１３４】
交換機２１０では、電話端末２０２から応答信号１１を受信すると、着信応答部１１４は、着信応答信号１１を中継交換機５００に送信する（ステップ３０２１）。
【０１３５】
また、交換機２１０では、電話端末２０２から応答信号１１を受信したため、グループ接続から通常接続への切り替えが行われたと判断し、着信応答部１１４は、電話端末２０２を、電話端末１０３と接続するための通話回線１１に接続する。
【０１３６】
中継交換機５００は、交換機２１０から着信応答信号１１を受信すると、交換機１１０に転送する（ステップ３０２２）。
【０１３７】
交換機１１０では、中継交換機５００から着信応答信号１１を受信すると、着信応答部１１４は、電話端末１０３を、電話端末２０２と接続するための通話回線１１に接続する。
【０１３８】
次に、交換機１１０では、接続停止部１１５は、着信応答信号１１を位置情報サーバー６１０に転送する（ステップ３０２３）。
【０１３９】
位置情報サーバー６１０では、グループ接続制御部６１５は、交換機１１０から着信応答信号１１を受信すると、応答のあった電話端末２０２以外で呼び出し信号が送信されている電話端末である電話端末２０１の電話番号を含むグループ接続停止信号を、交換機１１０に送信する（ステップ３０２４）。
【０１４０】
交換機１１０では、位置情報サーバー６１０からグループ接続停止信号を受信すると、接続停止部１１５は、電話端末２０１の電話番号を含む接続停止要求信号１２を、中継交換機５００に送信する（ステップ３０２５）。
【０１４１】
中継交換機５００は、交換機１１０から接続停止要求信号１２を受信すると、接続要求信号１２を交換機２１０に転送する（ステップ３０２６）。
【０１４２】
交換機２１０では、中継交換機５００から接続停止要求信号１２を受信すると、接続停止部１１５は、呼び出し信号１２の送信を停止するよう呼び出し部１１３に指示する（ステップ３０２８）。
【０１４３】
次に、中継交換機５００および交換機１１０，２１０は、ルーティングを行った接続停止要求信号１２に対応する、通話回線１２を解放する（ステップ３０２９〜３０３１）。
【０１４４】
一方、交換機２１０では、電話端末２０２の接続を、電話端末１０２とのグループ接続から、電話端末１０３との通常接続に切り替えたため、着信応答部１１４は、呼び出し信号１１の送信を停止するよう呼び出し部１１３に指示する（ステップ３０２７）。
【０１４５】
また、交換機２１０では接続停止部１１５は、電話端末１０２の電話番号を含む接続停止要求信号２を、中継交換機５００に送信する（ステップ３０３２）。
【０１４６】
中継交換機５００は、接続停止要求信号２を交換機２１０から受信すると、接続停止要求信号２を交換機１１０に転送する（ステップ３０３３）。
【０１４７】
交換機１１０では、接続停止部１１５は、中継交換機５００から接続停止要求信号２を受信する。
【０１４８】
これにより、中継交換機５００と交換機１１０と交換機２１０とは、ルーティングを行った接続停止要求信号２に対応する、通話回線２を解放し、電話端末１０２と電話端末２０２との間の通話を切断する（ステップ３０３４〜３０３６）。
【０１４９】
その後、電話端末１０３と電話端末２０２の間で、通常接続による通話が開始される（ステップ３０３７）。
【０１５０】
このとき、いきなりグループ接続による通話が切断されると発信者が混乱をきたす可能性がある。そのため、交換機１１０では、呼び出し部１１３は、電話端末１０２に対し、グループ接続先である電話端末２０２に通常接続による割り込みがあったことを示すメッセージを流すことが出来る。
【０１５１】
上述したように、本実施形態においては、位置情報サーバー６１０では、着信電話端末が被災地域に存在する場合、着信電話端末から所定の範囲に存在する近隣電話端末を検索し、電話交換機網では、着信電話端末および近隣電話端末に対し、それらの電話端末を収容している交換機から呼び出し信号を送信する。
【０１５２】
このように、着信電話端末以外に、近隣電話端末に対しても呼び出し信号が送信されるため、着信者の安否確認等の緊急連絡が取れる可能性を高めることが出来るという効果が得られる。
【０１５３】
また、各交換機は、グループ接続と通常接続を区別し、グループ接続により通話中の近隣電話端末に対し通常接続による着信があった場合、その旨を伝えるメッセージを近隣電話端末に対し送信する。
【０１５４】
このように、近隣電話端末でグループ接続による呼び出しに応答している場合でも、通常接続による呼び出しがあった場合、その旨を通知することが出来るという効果も得られる。
【０１５５】
（第２の実施形態）
図９に、本発明の第２の実施形態の電話システムの構成の一例を示す。
【０１５６】
図９に示すように、本実施形態においては、図１に示した第１の実施形態と比較して、位置情報サーバー６１０の代わりに位置情報サーバー６２０を設けている点が異なっている。なお、図９において、図１に示した第１の実施形態と同様の構成要素については同一の符号を付し、詳細な説明を省略する。
【０１５７】
図１０に、位置情報サーバー６２０の構成を示す。
【０１５８】
図１０に示すように、位置情報サーバー６２０は、図３に示した位置情報サーバー６１０と比較して、グループ接続制御部６１５の代わりにグループ接続制御部６２５を設けている点と、タイマー部６２６を追加している点と、が異なっている。他の構成要素については、位置情報サーバー６１０と同様のため、図３と同様の符号を付し、詳細な説明を省略する。
【０１５９】
タイマー部６２６は、グループ接続制御部６２５からの指示により、所定の呼び出し時間の計測を開始し、所定の呼び出し時間の計測が完了すると、グループ接続制御部６２５に計測完了信号を送信する。また、タイマー部６２６は、グループ接続制御部６２５から停止の指示があるまで所定の呼び出し時間の計測を繰り返す。なお、所定の呼び出し時間は、管理者により制御端末からタイマー部６２６に設定される。所定の呼び出し時間としては、例えば、１０コールや３０秒など、時間を示す値が設定される。
【０１６０】
グループ接続制御部６２５については、グループ接続制御部６１５と異なる動作についてのみ説明する。
【０１６１】
グループ接続制御部６２５は、交換機１１０〜４１０から検索要求信号を受信すると、着信電話端末が特定の領域に存在するか否かを判別し、特定の領域に存在すると判明した時点で、タイマー部６２６に所定の呼び出し時間の計測開始を指示するとともに、着信先の電話端末から所定の範囲に存在する電話端末を検索する。
【０１６２】
グループ接続制御部６２５は、タイマー部６２６が所定の呼び出し時間の計測を完了すると、検索された近隣電話端末を交換機１１０〜４１０に通知し、以降、タイマー部６２６が所定の呼び出し時間の計測を完了する度に、所定の範囲を拡大した上で近隣電話端末を位置情報サーバー６１４から新たに検索し、新たに検索された近隣電話端末を交換機１１０〜４１０に通知する。
【０１６３】
所定の範囲を拡大する方法としては、例えば、グループ接続制御部６２５が、タイマー部６２６がｎ回目の所定の呼び出し時間の計測を行っている間に、所定の範囲のｎ−１倍の範囲の外側で、所定の範囲のｎ倍の範囲の内側に存在する電話端末の電話番号を、近隣電話端末の電話番号として検索する方法が挙げられる。このように、所定の範囲を拡大した範囲で近隣電話端末を検索する際に、前回検索した範囲を除くことで、前回検索した範囲に存在する電話端末をダブルカウントするのを防ぐことが出来る。
【０１６４】
その他にも、例えば、範囲情報設定部６１３に優先順位とともに複数の所定の範囲の範囲情報を格納しておき、グループ接続制御部６２５が、所定の呼び出し時間の計測が完了する度に、範囲情報設定部６１３に格納されている範囲情報を優先順位に従い取得し、取得した範囲情報に基づき近隣電話端末を検索しても良い。この場合、例えば、優先順位が１番目の範囲情報の値を半径３０メートルに設定し、２番目の範囲情報の値を半径５０メートルに設定し、３番目の範囲情報の値を半径６０メートルに設定することで、単純に所定の範囲を２倍、３倍とするよりも精密に、近隣電話端末を検索する範囲を拡大することが出来る。
【０１６５】
また、グループ接続制御部６２５は、交換機１１０〜４１０から着信応答信号を受信すると、タイマー部６２６に所定の呼び出し時間の計測停止を指示する。
【０１６６】
以下に、本実施形態の動作を説明する。以下では、大災害が発生したため、管理者が、特定の領域として被災地域の位置情報を位置情報データベース６１４に格納しているものとする。
【０１６７】
ここでは、交換機１１０〜４１０に収容されている電話端末が図１１に示すような位置関係になっている状態で、電話端末１０２から電話端末２０１に向けて発信を行った場合の動作について説明する。
【０１６８】
また、図１１の範囲１を、範囲設定部６１３に範囲情報が格納されている所定の範囲とする。なお、図１１の範囲２は、範囲１を２倍に拡大した範囲であり、範囲３は範囲１を３倍に拡大した範囲である。
【０１６９】
この場合、電話端末（発信電話端末）１０２から電話端末（着信電話端末）２０１に向けて発信を行うと、まず、１回目の所定の呼び出し時間の計測が開始されるとともに、電話端末２０１と接続するための通話回線１が確保され、電話端末２０１に呼び出し信号の送信が開始される。
【０１７０】
１回目の所定の呼び出し時間の計測が完了すると、図１１の範囲１の内側に存在する電話端末（近隣電話端末）２０２，３０２と接続するための通話回線２，３が確保され、電話端末２０２，３０２に呼び出し信号の送信が開始される。
【０１７１】
２回目の所定の呼び出し時間の計測が完了すると、図１１の範囲１の外側で、範囲２の内側に存在する電話端末（近隣電話端末）３０１，３０３と接続するための通話回線４，５が確保され、電話端末３０１，３０３に呼び出し信号の送信が開始される。
【０１７２】
３回目の所定の呼び出し時間の計測が終了すると、図１１の範囲２の外側で、範囲３の内側に存在する電話端末（近隣電話端末）２０３，４０１と接続するための通話回線６，７が確保され、電話端末２０３，４０１に呼び出し信号の送信が開始される。図１２は、この時点での状態を示している。この時点で着信電話端末以外に、６台の近隣電話端末に対し、通話回線が確保され、呼び出し信号が送信されている。
【０１７３】
このときの、本実施形態の動作を、図１３を参照して説明する。
【０１７４】
なお、第１の実施形態と同様の動作については適宜説明を省略する。
【０１７５】
図１３を参照すると、まず、図６のステップ２００１と同様に、電話端末２０１から番号発信信号１が交換機１１０に送信される（ステップ４００１）。
【０１７６】
次に、図６のステップ２００２と同様に、交換機１１０から接続要求信号１が中継交換機５００に送信される（ステップ４００２）。
【０１７７】
次に、図６のステップ２００３と同様に、中継交換機５００から交換機２１０に接続要信号１が転送される（ステップ４００３）。
【０１７８】
交換機２１０では、接続要求信号１を受信すると、接続要求部１１２は、電話端末２０１が空き状態か否かを調査し、空き状態であれば、図６のステップ２０１４〜２０１７と同様に、電話端末２０１，１０２に呼び出し信号１の送信を開始するよう呼び出し部１１３に指示する（ステップ４００９〜４０１３）。
【０１７９】
また、交換機２１０が電話端末２０１の空き状態を調査している間に、接続要求信号１をルーティングした中継交換機５００と交換機１１０，２１０は、通話回線１を確保する（ステップ４００６〜４００８）。
【０１８０】
一方、図６のステップ２００４と同様に、交換機１１０から検索要求信号１が位置情報サーバー６２０に送信される（ステップ４００４）。
【０１８１】
位置情報サーバー６２０では、検索要求信号１を受信すると、グループ接続制御部６２５は、電話端末２０１が被災地域に存在するか否かを判別する。
【０１８２】
次に、位置情報サーバー６２０では、グループ接続制御部６２５は、電話端末２０１が被災地域に存在する場合、タイマー部６２６に所定の呼び出し時間の計測を開始するよう指示する。タイマー部６２６は、グループ接続制御部６２５からの指示により、内部タイマーによる１回目の所定の呼び出し時間の計測を開始する（ステップ４００５）。
【０１８３】
次に、位置情報サーバー６２０では、グループ接続制御部６２５は、電話端末２０１から所定の範囲である図１１の範囲１の内側に存在する電話端末の電話番号を検索する。ここでは、電話端末２０２，３０２の電話番号が検索される。
【０１８４】
位置情報サーバー６２０では、タイマー部６２６は、１回目の所定の呼び出し時間の計測が完了すると（ステップ４０１４）、グループ接続制御部６２５に対して計測完了通知を送信し、２回目の所定の呼び出し時間の計測を開始する（ステップ４０１６）。
【０１８５】
また、位置情報サーバーでは、グループ接続制御部６２５は、新たに検索された電話端末２０２，３０２の電話番号を含むグループ接続開始信号を、交換機１１０に送信する（ステップ４０１５）。
【０１８６】
次に、図６のステップ２００６，２００８と同様に、交換機１１０からグループ接続要求信号２，３が中継交換機５００に送信される（ステップ４０１７，４０１９）。
【０１８７】
次に、図６のステップ２００７，２００９と同様に、中継交換機５００から、グループ接続要求信号２が交換機２１０に転送され、グループ接続要求信号３が交換機３１０に転送される（ステップ４０１８，４０２０）。
【０１８８】
交換機２１０では、グループ接続要信号２を受信すると、接続要求部１１２は、電話端末２０２が空き状態か否かを調査し、空き状態であれば、図６のステップ２０１８〜２０２１と同様に、電話端末２０２，１０２に呼び出し信号２の送信を開始するよう呼び出し部１１３に指示する（ステップ４０２５〜４０２８）。
【０１８９】
また、交換機３１０では、グループ接続要信号３を受信すると、接続要求部１１２は。電話端末３０２が空き状態か否かを調査し、空き状態であれば、図６のステップ２０２２〜２０２５と同様に、電話端末３０２，１０２に呼び出し信号３の送信を開始するよう呼び出し信号１１３に指示する（ステップ４０２９〜４０３２）。
【０１９０】
なお、交換機２１０，３１０が電話端末２０２，３０２の空き状態を調査している間に、グループ接続要求信号２をルーティングした中継交換機５００と交換機１１０，２１０は、通話回線２を確保し、グループ接続要求信号３をルーティングした中継交換機５００と交換機１１０，３１０は、通話回線３を確保する（ステップ４０２１〜４０２４）。
【０１９１】
一方、位置情報サーバー６２０では、グループ接続制御部６２５は、タイマー部６２６が２回目の所定の呼び出し時間の計測を行っている間に、図１１の範囲１の外側で範囲２の内側に存在する電話端末の電話番号を検索する。ここでは電話端末３０１，３０３の電話番号が検索される。
【０１９２】
位置情報サーバー６２０では、タイマー部６２６は、２回目の所定の呼び出し時間の計測が完了すると（ステップ４０３３）、グループ接続制御部６２５に、計測完了通知を送信し、３回目の所定の呼び出し時間の計測を開始する（ステップ４０３５）。
【０１９３】
また、位置情報サーバー６２０では、グループ接続制御部６２５は、新たに検索された電話端末３０１，３０３の電話番号を含むグループ接続開始信号を交換機１１０に送信する（ステップ４０３４）。
【０１９４】
以降、電話端末１０２と電話端末３０１との間の接続に関わる信号および通話回線にはサフィックスとして４を付け、電話端末１０２と電話端末３０３との間の接続に関わる信号および通話回線にはサフィックスとして５を付ける。
【０１９５】
次に、図６のステップ２００６，２００８と同様に、交換機１１０からグループ接続要求信号４，５が中継交換機５００に送信される（ステップ４０３６，４０３８）。
【０１９６】
次に、図６のステップ２００７，２００９と同様に、中継交換機５００から、グループ接続要求信号４，５が交換機３１０に転送される（ステップ４０３７，４０３９）。
【０１９７】
交換機３１０では、グループ接続要信号４，５を受信すると、接続要求部１１２は、電話端末３０１，３０３が空き状態か否かを調査し、空き状態であれば、図６のステップ２０２２〜２０２５と同様に、電話端末３０１，１０２に呼び出し信号４を送信し、電話端末３０３，１０２に呼び出し信号５の送信を開始するよう呼び出し部１１３に指示する（ステップ４０４３〜４０５０）。
【０１９８】
なお、交換機３１０が電話端末３０１，３０３の空き状態を調査している間に、グループ接続要求信号４，５をルーティングした中継交換機５００と交換機１１０，３１０は、通話回線４，５を確保する（ステップ４０４０〜４０４２）。
【０１９９】
一方、位置情報サーバー６２０では、グループ接続制御部６２５は、タイマー部６２６が３回目の所定の呼び出し時間の計測を行っている間に、図１１の範囲２の外側で範囲３の内側の範囲に存在する電話端末の電話番号を新たに検索する。ここでは、電話端末２０３，４０１との電話番号が検索される。
【０２００】
位置情報サーバー６２０では、タイマー部６２６は、３回目の所定の呼び出し時間の計測が完了すると（ステップ４０５１）、グループ接続制御部６２５に、計測完了通知を送信し、４回目の所定の呼び出し時間の計測を開始する（ステップ４０５３）。
【０２０１】
また、位置情報サーバー６２０では、グループ接続制御部６２５は、新たに検索された電話端末２０３，４０１との電話番号を含むグループ接続開始信号を、交換機１１０に送信する（ステップ４０５２）。
【０２０２】
以降、電話端末１０２と電話端末２０３との間の接続に関わる信号および通話回線にはサフィックスとして６を付け、電話端末１０２と電話端末４０１との間の接続に関わる信号および通話回線にはサフィックスとして７を付ける。
【０２０３】
次に、図６のステップ２００６，２００８と同様に、交換機１１０からグループ接続要求信号６，７が中継交換機５００に送信される（ステップ４０５４，４０５６）。
【０２０４】
次に、図６のステップ２００７，２００９と同様に、中継交換機５００から、グループ接続要求信号６が交換機２１０に転送され、グループ接続要求信号７が交換機４１０に転送される（ステップ４０５５，４０５７）。
【０２０５】
交換機２１０では、グループ接続要信号６を受信すると、接続要求部１１２は、電話端末２０３が空き状態か否かを調査し、空き状態であれば、図６のステップ２０１８〜２０２１と同様に、電話端末２０３，１０２に呼び出し信号６の送信を開始するよう呼び出し部１１３に指示する（ステップ４０６２〜４０６５）。
【０２０６】
また、交換機４１０では、グループ接続要信号７を受信すると、接続要求部１１２は、電話端末４０１が空き状態か否かを調査し、空き状態であれば、図６のステップ２０２２〜２０２５と同様に、電話端末４０１，１０２に呼び出し信号７の送信を開始するよう呼び出し部１１３に指示する（ステップ４０６６〜４０６９）。
【０２０７】
なお、交換機２１０，４１０が電話端末２０３，４０１の空き状態を調査している間に、グループ接続要求信号６をルーティングした中継交換機５００と交換機１１０，２１０は、通話回線６を確保し、グループ接続要求信号７をルーティングした中継交換機５００と交換機１１０，３１０は、通話回線７を確保する（ステップ４０５８〜４０６１）。
【０２０８】
以降も、位置情報サーバー６２０では、グループ接続制御部６２５は、交換機１１０から着信応答信号を受信するまで、所定の呼び出し時間の計測が完了する度に、所定の範囲を拡大した上で近隣電話端末を検索し、新たに検索された近隣電話端末を交換機１１０に通知する。
【０２０９】
次に、電話端末１０２から電話端末２０１に向けて発信が行われ、タイマー部６２６が２回目の所定の呼び出し時間の計測を行っている間に、電話端末２０２から応答が有った場合の動作について、図１４を参照して説明する。
【０２１０】
電話端末１０２から電話端末２０１に向けて発信が行われてから、電話端末２０２と電話端末３０２に呼び出し信号の送信が開始されるまでの動作（ステップ４００１〜４０３２）は、図１３に示した動作と同様のため、図１３と同様の符号を付し説明を省略する。
【０２１１】
図１４を参照すると、電話端末２０２は、呼び出し信号２に応答する操作を行われると、応答信号２を交換機２１０に送信する（ステップ５００１）。
【０２１２】
次に、図６のステップ２０２８と同様に、交換機２１０から着信応答信号２が中継交換機５００に送信される（ステップ５００２）。このとき、交換機２１０では、着信応答部１１４は、電話端末２０２を、電話端末１０２と接続するための通話回線２に接続する。
【０２１３】
次に、図６のステップ２０２９と同様に、中継交換機５００から着信応答信号２が交換機１１０に転送される（ステップ５００３）。
【０２１４】
次に、図６のステップ２０３０と同様に、交換機１１０から着信応答信号２が位置情報サーバー６２０に転送される（ステップ５００４）。このとき、交換機１１０では、着信応答部１１４は、電話端末１０２を、電話端末２０２と接続するための通話回線２に接続する。
【０２１５】
位置情報サーバー６２０では、グループ接続制御部６２５は、交換機１１０から着信応答信号２を受信すると、タイマー部６２６に所定の呼び出し時間の計測を停止するよう指示する（ステップ５００５）。
【０２１６】
また、図６のステップ２０３１と同様に、位置情報サーバー６２０から、電話端末２０１，３０２の電話番号を含むグループ接続停止信号が交換機１１０に送信される（ステップ５００６）。
【０２１７】
次に、図６のステップ２０３２，２０３４と同様に、交換機１１０から接続停止要求信号１，３が中継交換機５００に送信される（ステップ５００７，５００９）。
【０２１８】
次に、図６のステップ２０３３，２０３５と同様に、中継交換機５００から、接続停止要求信号１が交換機２１０に転送され、接続停止要求信号３が交換機３１０に転送される（ステップ５００８，５０１０）。
【０２１９】
次に、図６のステップ２０３６〜２０３８と同様に、交換機２１０で呼び出し信号１，２の送信が停止され、交換機３１０で呼び出し信号３の送信が停止される（ステップ５０１１〜５０１３）。
【０２２０】
また、図６のステップ２０３９〜２０４２と同様に、中継交換機５００と交換機１１０，２１０において通話回線１が解放され、中継交換機５００と交換機１１０，３１０において通話回線３が解放される（ステップ５０１４〜５０１７）。
【０２２１】
その後、電話端末１０２と電話端末２０２の間でグループ接続による通話が開始される（ステップ５０１８）。
【０２２２】
上述したように、本実施形態においては、位置情報サーバー６２０では、着信電話端末が被災地域に存在することが判明した時点で、所定の呼び出し時間の繰り返し計測を開始し、所定の呼び出し時間の計測が完了すると、着信電話端末から所定の範囲の近隣電話端末を交換機１１０〜４１０に通知し、以降、所定の呼び出し時間の計測が完了する度に、所定の範囲を拡大した上で近隣電話端末を検索し、新たに検索された近隣電話端末を交換機１１０〜４１０に通知する。
【０２２３】
そのため、電話交換機網では、位置情報サーバー６２０から近隣電話端末が通知される度に、通知された近隣電話端末に対し、それらの電話端末を収容している交換機は、呼び出し信号を送信する。
【０２２４】
このように、第１の実施形態の効果に加え、時間経過とともに、呼び出し信号を送信する電話端末の台数を増やしていくことで、第１の実施形態と比較して、着信者の安否確認等の緊急連絡がとれる可能性を高めることが出来るという効果が得られる。
【０２２５】
また、所定の呼び出し時間の計測が完了してから、着信電話端末から所定の範囲に存在する近隣電話端末を交換機１１０〜４１０に通知するため、１回目の所定の呼び出し時間の計測を行っている間に、着信電話端末で呼び出し信号への応答があった場合、図２４に示した電話システムと、使用する電話交換機網のリソースの量が変わらないという効果が得られる。
【０２２６】
（第３の実施形態）
本発明の第３の実施形態の電話システムの構成は、図９に示した第２の実施形態と同様である。ただし、本実施形態の電話システムにおいては、第２の実施形態と比較して、位置情報サーバー６２０に新たな動作が加わる点が異なる。他の構成要素については、第２の実施形態と同様のため、詳細な説明を省略する。
【０２２７】
本実施形態においては、位置情報サーバー６２０では、グループ接続制御部６２５の動作に、所定の呼び出し時間の計測が完了する度に、前回の所定の呼び出し時間の計測完了後交換機１１０〜４１０に通知した近隣電話端末を、接続を停止する電話端末である旨を交換機１１０〜４１０に通知する動作が加わる。
【０２２８】
以下に、本実施形態の動作を説明する。以下では、大災害が発生したため、管理者が、特定の領域として被災地域の位置情報を位置情報データベース６１４に格納しているものとする。
【０２２９】
ここでは、第２の実施形態と同様に、交換機１１０〜４１０に収容されている電話端末が図１１に示すような位置関係になっている状態で、電話端末１０２から電話端末２０１に向けて発信を行った場合の動作について説明する。
【０２３０】
また、図１１の範囲１を、範囲設定部６１３に範囲情報が格納されている所定の範囲とする。なお、図１１の範囲２は、範囲１を２倍に拡大した範囲であり、範囲３は範囲１を３倍に拡大した範囲である。
【０２３１】
この場合、電話端末（発信電話端末）１０２から電話端末（着信電話端末）２０１に向けて発信を行うと、まず、１回目の所定の呼び出し時間の計測が開始されるとともに、電話端末２０１と接続するための通話回線１が確保され、電話端末２０１に呼び出し信号の送信が開始される（図１６参照）。
【０２３２】
１回目の所定の呼び出し時間の計測が完了すると、図１１の範囲１の内側に存在する電話端末（近隣電話端末）２０２，３０２と接続するための通話回線２，３が確保され、電話端末２０２，３０２に呼び出し信号の送信が開始される（図１７参照）。
【０２３３】
２回目の所定の呼び出し時間の計測が完了すると、図１１の範囲１の外側で、範囲２の内側に存在する電話端末（近隣電話端末）３０１，３０３と接続するための通話回線４，５が確保され、電話端末３０１，３０３に呼び出し信号の送信が開始される。また、このとき、電話端末２０２，３０２への呼び出し信号の送信が停止され、通話回線２，３が解放される（図１８参照）。
【０２３４】
３回目の所定の呼び出し時間の計測が終了すると、図１１の範囲２の外側で、範囲３の内側に存在する電話端末（近隣電話端末）２０３，４０１と接続するための通話回線６，７が確保され、電話端末２０３，４０１に呼び出し信号の送信が開始される。また、このとき、電話端末３０１，３０３への呼び出し信号の送信が停止され、通話回線４，５が解放される（図１９参照）。
【０２３５】
このときの、本実施形態の動作を、図１９を参照して説明する。
【０２３６】
電話端末１０２から電話端末２０１に向けた発信が行われ、通話回線１が確保され、電話端末２０１に呼び出し信号１の送信が開始される動作と（ステップ４００１〜４０１３）、１回目の所定の呼び出し時間の計測が完了し、通話回線２，３が確保され、電話端末２０２，３０２に呼び出し信号２，３の送信が開始される動作と（ステップ４０１４〜４０３２）、２回目の所定の呼び出し時間の計測が完了し、通話回線４，５が確保され、電話端末３０１，３０３に呼び出し信号４，５の送信が開始される動作と（４０３３〜４０５０）、は図１３に示した動作と同様のため、同様の符号を付し、説明を省略する。
【０２３７】
図１９を参照すると、位置情報サーバー６２０では、グループ接続制御部６２５は、タイマー部６２６にて２回目の所定の呼び出し時間の計測が完了すると、前回送信したグループ接続開始信号に含まれていた電話端末２０２，３０２の電話番号を含むグループ接続停止信号を、交換機１１０に送信する（ステップ６００１）。
【０２３８】
次に、図６のステップ２０３２，２０３４と同様に、交換機１１０から接続停止要求信号２，３が中継交換機５００に送信される（ステップ６００２，６００４）。
【０２３９】
次に、図６のステップ２０３３，２０３５と同様に、中継交換機５００から、接続停止要求信号２が交換機２１０に転送され、接続停止要求信号３が交換機３１０に転送される（ステップ６００３，６００５）。
【０２４０】
次に、図６のステップ２０３６〜２０３８と同様に、交換機２１０で呼び出し信号２の送信が停止され、交換機３１０で呼び出し信号３の送信が停止される（ステップ６００６，６００７）。
【０２４１】
また、図６のステップ２０３９〜２０４２と同様に、中継交換機５００と交換機１１０，２１０において通話回線２が解放され、中継交換機５００と交換機１１０，３１０において通話回線３が解放される（ステップ６００８〜６０１１）。
【０２４２】
また、位置情報サーバー６２０では、タイマー部６２６が３回目の所定の呼び出し時間の計測を行っている間に、グループ接続制御部６２５は、第２の実施形態と同様に、図１１の範囲２の外側で、範囲３の内側に存在する電話端末を検索する。ここでは、電話端末２０３，４０１が新たに検索される。
【０２４３】
位置情報サーバー６２０では、タイマー部６２６は、３回目の所定の呼び出し時間の計測が完了すると、グループ接続制御部６２５に、計測完了信号を送信する。
【０２４４】
タイマー部６２６が４回目の所定の呼び出し時間の計測を開始し、通話回線６，７が確保され、電話端末２０３，４０１に呼び出し信号６，７の送信が開始される動作は（ステップ４０５１〜４０６９）、図１３に示した第２の実施形態の動作と同様のため、同様の符号を付し、説明を省略する。
【０２４５】
また、位置情報サーバー６２０では、グループ接続制御部６２５は、タイマー部６２６にて３回目の所定の呼び出し時間の計測が完了すると、前回送信したグループ接続開始信号に含まれていた電話端末３０１，３０３の電話番号を含むグループ接続停止信号を、交換機１１０に送信する（ステップ６００１２）。
【０２４６】
次に、図６のステップ２０３２，２０３４と同様に、交換機１１０から接続停止要求信号４，５が中継交換機５００に送信される（ステップ６０１３，６０１５）。
【０２４７】
次に、図６のステップ２０３３，２０３５と同様に、中継交換機５００から、接続停止要求信号４，５が交換機３１０に転送される（ステップ６０１４，６０１６）。
【０２４８】
次に、図６のステップ２０３６〜２０３８と同様に、交換機３１０で呼び出し信号４，５の送信が停止される（ステップ６０１７，６０１８）。
【０２４９】
また、図６のステップ２０３９〜２０４２と同様に、中継交換機５００と交換機１１０，３１０において通話回線４，５が解放される（ステップ６００８〜６０１１）。
【０２５０】
以降も、位置情報サーバー６２０では、グループ接続制御部６２５は、交換機１１０から着信応答信号を受信するまで、所定の呼び出し時間の計測が完了する度に、所定の範囲を拡大した上で近隣電話端末を検索し交換機１１０に通知するとともに、前回の所定の呼び出し時間の計測完了後通知した近隣電話端末を、接続停止電話端末として通知する。
【０２５１】
なお、本実施形態において、近隣電話端末から応答があった場合の動作については、図１４に示した第２の実施形態の動作と同様のため説明を省略する。
【０２５２】
上述したように、本実施形態においては、位置情報サーバー６２０では、所定の呼び出し時間の計測が完了する度に、新たに検索された近隣電話端末を交換機１１０〜４１０に通知するとともに、前回の所定の呼び出し時間の完了後通知した近隣電話端末を、接続停止電話端末として通知する。
【０２５３】
そのため、電話交換機網では、位置情報サーバー６３０から近隣電話端末と接続停止電話端末が通知される度に、近隣電話端末に対し、それらの電話端末を収容している交換機は、呼び出し信号を送信し、接続停止電話端末に対し、それらの電話端末を収容している交換機は、呼び出し信号の送信を停止し、対応する通話回線を開放する。
【０２５４】
これにより、第２の実施形態の効果に加え、使用する電話交換機網のリソースを抑えつつ、着信者の安否確認の緊急連絡が取れる可能性を高めることが出来るという効果が得られる。
【０２５５】
（第４の実施形態）
本発明の第４の実施形態の電話システムにおいては、第１〜第３の実施形態と比較して、交換機１１０〜４１０が、発信元の電話端末と近隣電話端末の間で通話が行われている間も、着信先の電話端末への呼び出し信号の送信を継続し、着信先の電話端末で呼び出し信号への応答があった場合、発信元の電話端末の接続先を、着信先の電話端末に変更する点が異なる。
【０２５６】
ここでは、第１の実施形態に上述した交換機１１０〜４１０の変更点を反映させた場合について説明する。なお、他の実施形態に反映させた場合についても同様である。
【０２５７】
そのため、本実施形態の電話システムの構成は、図１に示した第１の実施形態と同様である。ただし、第１の実施形態と比較して、位置情報サーバー６１０と交換機１１０〜４１０の動作が異なる。
【０２５８】
まず、本実施形態の位置情報サーバー６１０の動作で、第１の実施形態と異なる点について説明する。
【０２５９】
本実施形態においては、位置情報サーバー６１０では、グループ接続制御部６１５は、交換機１１０〜４１０から着信応答信号を受信すると、応答があった電話端末と、着信先の電話端末と、以外で呼び出し信号が送信されている電話端末の電話番号を、接続を停止する電話端末の電話番号として交換機１１０〜４１０に通知する。
【０２６０】
また、グループ接続制御部６１５は、発信元の電話端末と近隣電話端末との間での通話が行われている際に、交換機１１０〜４１０から着信先の電話端末で応答があった旨を示す着信応答信号を受信すると、発信元の電話端末と近隣電話端末を接続している通話回線を開放するために、近隣電話端末の電話番号を、接続を停止する電話端末の電話番号として交換機１１０〜４１０に通知する。
【０２６１】
次に、本実施形態の交換機１１０〜４１０の動作で、第１の実施形態と異なる点について説明する。ここでは、交換機１１０について説明するが、他の交換機２１０〜４１０についても同様である。
【０２６２】
本実施形態の交換機１１０では、着信応答部１１４は、発信元の電話端末と近隣電話端末の間で通話が行われている際に、着信先の電話端末で応答があった旨を示す着信応答信号を他の交換機から受信すると、発信元の電話端末の接続先を、着信先の電話端末に変更する。
【０２６３】
以下に、本実施形態の動作について説明する。以下では、大災害が発生したため、管理者が、特定の領域として被災地域の位置情報を位置情報データベース６１４に格納しているものとする。
【０２６４】
ここでは、交換機１１０〜４１０に収容されている電話端末が図４に示す様な位置関係にとなっている状態で、電話端末（発信電話端末）１０２から電話端末（着信電話端末）２０１に向けた発信が行われ、電話端末（近隣電話端末）２０２，３０２に対しても呼び出し信号が送信され、電話端末１０２と電話端末２０２の間で通話が行われている際に、電話端末２０１で応答があった場合の動作について説明する。
【０２６５】
このときの、本実施形態の動作を、図２０を参照して説明する。
【０２６６】
電話端末１０２から電話端末２０１に向けた発信が行われ、通話回線１，２，３が確保され、電話端末２０１，２０２，３０２に呼び出し信号１，２，３の送信が開始される動作と（ステップ２００１〜２０２６）、電話端末２０２で呼び出し信号２への応答があり、交換機１１０から位置情報サーバー６１０に着信応答信号２が転送される動作と（ステップ２０２７〜２０３０）、は図６に示した第１の実施形態の動作を同様のため、同様の符号を付し、説明を省略する。
【０２６７】
図２０を参照すると、位置情報サーバー６１０では、グループ接続制御部６１５は、交換機１１０から着信応答信号２を受信すると、電話端末２０２と電話端末２０１以外で呼び出し信号が送信されている電話端末３０１の電話番号を含むグループ接続停止信号を、交換機１１０に送信する（ステップ７００１）。
【０２６８】
次に、図６のステップ２０３４と同様に、交換機１１０から接続停止要求信号３が中継交換機５００に送信される（ステップ７００２）。
【０２６９】
また、このとき交換機１１０では、着信応答部１１４は、電話端末１０２を、電話端末２０２と接続するための通話回線２に接続する。
【０２７０】
次に、図６のステップ２０３５と同様に、中継交換機５００から、接続停止要求信号３が交換機３１０に転送される（ステップ７００３）。
【０２７１】
次に、図６のステップ２０３８と同様に、交換機３１０で呼び出し信号３の送信が停止される（ステップ７００５）。
【０２７２】
また、図６のステップ２０３９〜２０４２と同様に、中継交換機５００と交換機１１０，３１０において通話回線３が解放される（ステップ７００６〜７００８）。
【０２７３】
また、交換機２１０では、着信応答部１１４は、電話端末２０２を、電話端末１０２と接続するための通話回線２に接続する。このとき、着信応答部１１４は、呼び出し信号２の送信を停止するよう呼び出し部１１３に指示する（ステップ７００４）。
【０２７４】
次に、電話端末１０２と電話端末２０２との間で、グループ接続による通話が開始される（ステップ７００９）。
【０２７５】
このとき、電話端末２０１に対しては、交換機２１０からの呼び出し信号１の送信が継続さ、通話回線１も確保されたままのため、電話端末１０２と電話端末２０２の間で通話が行われている間も、電話端末２０１が呼び出し信号１に応答することが可能な状態となっている。
【０２７６】
ここで、電話端末２０１は、呼び出し信号１に応答する操作が行われると、応答信号１を交換機２１０に送信する（ステップ７０１０）。
【０２７７】
次に、図６のステップ２０２７と同様に、交換機２１０から着信応答信号１が中継交換機５００に送信される（ステップ７０１１）。
【０２７８】
次に、図６のステップ２０２８と同様に、中継交換機５００から着信応答信号１が交換機１１０に転送される（ステップ７０１２）。
【０２７９】
次に、図６のステップ２０２９と同様に、交換機１１０から着信応答信号１が位置情報サーバー６１０に転送される（ステップ７０１３）。
【０２８０】
また、このとき、交換機１１０では、着信応答部１１４は、電話端末１０２の接続先を、電話端末２０２と接続するための通話回線２から電話端末２０１と接続するための通話回線１に変更する。
【０２８１】
位置情報サーバー６１０では、グループ接続制御部６１５は、交換機１１０から着信応答信号１を受信すると、電話端末２０２の電話番号を含むグループ接続停止信号を、交換機１１０に送信する（ステップ７０１４）。
【０２８２】
次に、図６のステップ２０３２と同様に、交換機１１０から接続停止要求信号２が中継交換機５００に送信される（ステップ７０１５）。
【０２８３】
次に、図６のステップ２０３３と同様に、中継交換機５００から接続停止要求信号２が交換機２１０に転送される（ステップ７０１６）。
【０２８４】
また、図６のステップ２０３７と同様に、交換機２１０で呼び出し信号１の送信が停止される（ステップ７０１７）。
【０２８５】
次に、図６のステップ２０３９〜２０４１と同様に、中継交換機５００と交換機１１０，２１０において通話回線２が解放される（ステップ７０１８〜７０２０）。
【０２８６】
その後、電話端末１０２と電話端末２０１の間で、通常接続による通話が開始される（ステップ７０２１）。
【０２８７】
このとき、いきなりグループ接続による通話が切断されると、電話端末２０２で呼び出し信号２に応答した人が混乱をきたす可能性がある。そのため、交換機２１０では、呼び出し部１１３は、電話端末２０２に対し、電話端末１０２の通常接続先である電話端末２０１で呼び出し信号への応答があったことを示すメッセージを流すことが出来る。
【０２８８】
また、同様に、いきなりグループ接続による通話から通常接続による通話に切り替えられると、発信者が混乱をきたす可能性があるため、交換機１１０では、呼び出し部１１３は、電話端末１０２に対し、グループ接続先から通常接続先に変更することを示すメッセージを流すことが出来る。
【０２８９】
これにより、グループ接続による通話がいきなり切断されたり、接続先がグループ接続先から通常接続先に変更されたりして、混乱をきたさない様な配慮が可能となる。
【０２９０】
上述したように、本実施形態においては、交換機１１０〜４１０は、発信電話端末と近隣電話端末との間で通話が行われている間に、着信電話端末で応答があった旨を示す着信応答信号を受信すると、発信電話端末の接続先を着信電話端末と接続するための通話回線に変更する。
【０２９１】
このように、第１〜第３の実施形態の効果に加え、発信電話端末が近隣電話端末と通話中であっても、着信電話端末で呼び出し信号に応答があった場合、着信電話端末との通話に切り替えることができるという効果が得られる。
【０２９２】
（第５の実施形態）
本発明の第５の実施形態の電話システムは、第１〜第３の実施形態と比較して、各交換機が、接続要求信号のうち送信先の他の交換機が同一である接続要求信号を１つにまとめて送信し、接続要求信号の送信先の他の交換機との間に通話回線が確保されていなければ通話回線を１回線分確保する点が異なる。
【０２９３】
ここでは、第１の実施形態に上述した各交換機の変更点を反映させた場合について説明する。なお、他の実施形態に反映させた場合も同様である。
【０２９４】
図２１に、本実施形態の電話システムの構成を示す。
【０２９５】
本実施形態の電話システムは、図１に示した第１の実施形態と比較して、交換機１１０〜４１０の動作が異なる点と、中継交換機５００の代わりに中継交換機５１０を設けている点と、が異なる。他の構成要素については、第１の実施形態と同様のため、図１と同様の符号を付し、説明を省略する。
【０２９６】
まず、交換機１１０〜４１０の動作で、第１の実施形態と異なる点について説明する。ここでは、交換機１１０について説明するが、他の交換機２１０〜４１０も同様である。
【０２９７】
本実施形態の交換機１１０では、接続要求部１１２は、発信元の電話端末からの発信を受け、位置情報サーバー６１０に着信先の電話端末の電話番号を通知する。なお、この時点では接続要求部１１２は、着信先の電話端末に対する接続要求信号を、他の交換機に送信しない。
【０２９８】
接続要求開始部１１２は、位置情報サーバー６１０から、近隣電話端末の電話番号が通知されると、着信先の電話端末と、通知された近隣電話端末と、に対し接続要求信号を送信する。このとき、接続要求部１１２は、接続要求信号のうち送信先の他の交換機が同一である接続要求信号を１つにまとめて送信する。本実施形態では、交換機１１０は、接続要求信号を全て交換機５１０に送信するため、着信先の電話端末と、位置情報サーバー６１０から通知された近隣電話端末と、の電話番号を含む接続要求信号を中継交換機５１０に送信する。
【０２９９】
また、接続要求部１１２は、複数の電話端末の電話番号を含む接続要求信号を他の交換機から受信した場合、接続要求信号に含まれている複数の電話端末に対し呼び出し信号の送信を開始するよう呼び出し部１１３に指示する。
【０３００】
さらに、接続要求部１１２は、接続要求信号の送信先の他の交換機との間に、通話回線が確保されていなければ、他の交換機と通信部１１１の間に通話回線を１回線分確保する。
【０３０１】
次ぎに、中継交換機５１０の動作で、第１の実施形態の中継交換機５００と異なる点について説明する。
【０３０２】
中継交換機５１０は、各交換機から複数の電話端末の電話番号を含む接続要求信号を受信すると、受信した接続要求信号に含まれている複数の電話端末の電話番号を、電話端末が収容されている他の交換機毎にまとめ、他の交換機に対し収容している電話端末の電話番号を含む接続要求信号を送信する。
【０３０３】
また、中継交換機５１０は、接続要求信号の送信先の他の交換機との間に、通話回線が確保されていなければ、通話回線を１回線分確保する。
【０３０４】
以下に、本実施形態の動作について説明する。以下では、大災害が発生したため、管理者が、特定の領域として被災地域の位置情報を位置情報データベース６１４に格納しているものとする。
【０３０５】
交換機１１０〜４１０に収容されている電話端末が、第１の実施形態と同様に図４に示すような位置関係にある状態で、電話端末１０２から電話端末２０１に向けて発信が行われた場合の動作について説明する。
【０３０６】
この場合、電話端末（発信電話端末）１０２から電話端末（着信電話端末）２０１に向けた発信が行われると、電話端末（近隣電話端末）２０２，３０２に対しても呼び出し信号の送信が開始される。この際、本実施形態においては、図２２に示すように、各交換機の間には１回線分の通話回線しか確保されない。
【０３０７】
このときの本実施形態の動作を、図２３を参照して説明する。
【０３０８】
なお、第１の実施形態と同様の動作については適宜説明を省略する。
【０３０９】
図２３を参照すると、まず、電話端末１０２は、電話端末２０１の電話番号を指定した発信操作を行われると、電話端末２０１の電話番号を含む番号発信信号１を交換機１１０に送信する（ステップ８００１）。
【０３１０】
交換機１１０では、接続要求部１１２は、電話端末１０２から番号発信信号１を受信すると、電話端末２０１の電話番号を含む検索要求信号１を、位置情報サーバー６１０に送信する（ステップ８００２）。
【０３１１】
位置情報サーバー６１０では、グループ接続制御部６１５は、検索要求信号１を交換機１１０から受信すると、電話端末２０１が被災地域に存在するか否かを判定する。
【０３１２】
次に、位置情報サーバー６１０では、グループ接続制御部６１５は、電話端末２０１が存在する地域が被災地域ではない場合、その旨を示す信号を、交換機１１０に送信する。
【０３１３】
交換機１１０では、接続要求部１１２は、位置情報サーバー６１０から、電話端末２０１が存在する地域が被災地域ではない旨を示す信号を受信すると、電話端末２０１の電話番号を含む接続要求信号１を中継交換機５１０に送信する。
【０３１４】
その後、図２６に示した一般的な電話システムの動作と同様の動作により、通話回線１が確保され、電話端末２０１に呼び出し信号１の送信が開始される。
【０３１５】
一方、位置情報サーバー６１０では、グループ接続制御部６１５は、電話端末２０１が被災地域に存在する場合、図４の範囲１に存在する電話端末２０２，３０２の電話番号を含むグループ接続開始信号を、交換機１１０に送信する（ステップ８００３）。
【０３１６】
交換機１１０では、接続要求部１１２は、位置情報サーバー６１０からグループ接続開始信号を受信すると、グループ接続先である電話端末２０２，３０２の電話番号と、通常接続先である電話端末２０１の電話番号と、を含む接続要求信号（拡張接続要求信号）を中継交換機５１０に送信する（ステップ８００４）。ここでは、複数の電話番号を含む接続要求信号を、拡張接続要求信号と呼ぶ。
【０３１７】
中継交換機５１０は、交換機１１０から拡張接続要求信号を受信すると、受信した拡張接続要求信号に含まれている複数の電話端末の電話番号について、各電話端末が収容されている交換機を判別する。
【０３１８】
次に、中継交換機５１０は、電話端末２０１，２０２を収容している交換機２１０に対し、電話端末２０１，２０２の電話番号を含む拡張接続要求信号を生成し、生成した拡張接続要求信号を送信する（ステップ８００５）。
【０３１９】
また、中継交換機５１０は、電話端末３０２を収容している交換機３１０に対し、電話端末３０２の電話番号を含むグループ接続要求信号を生成し、生成したグループ接続要求信号を送信する（ステップ８００６）。
【０３２０】
交換機２１０では、接続要求部１１２は、中継交換機５１０から拡張接続要求信号を受信すると、電話端末２０１，２０２が空き状態であるか否かを調査する。
【０３２１】
また、交換機３１０では、接続要求部１１２は、中継交換機５１０からグループ接続要求信号を受信すると、電話端末３０２が空き状態であるか否かを調査する。
【０３２２】
この間に、拡張接続要求信号もしくはグループ接続要求信号をルーティングした中継交換機５１０と交換機１１０〜３１０は、他の交換機との間で通話回線を１回線分確保する（ステップ８００７〜８０１０）。ここでは、図２４に示すように、交換機１１０と交換機５１０の間と、中継交換機５１０と交換機２１０の間と、中継交換機５１０と交換機３１０の間と、に１回線ずつ通話回線が確保される。
【０３２３】
次に、交換機２１０では、接続要求部１１２は、電話端末２０１が空き状態であれば、電話端末２０１，１０２に対し呼び出し信号１の送信を開始するよう呼び出し部１１３に指示する（ステップ８０１１〜８０１３）。
【０３２４】
また、交換機２１０では、接続要求部１１２は、電話端末２０２が空き状態であれば、電話端末２０２，１０２に対し呼び出し信号２の送信を開始するよう呼び出し部１１３に指示する（ステップ８０１４〜８０１５）。
【０３２５】
このとき、交換機２１０では、呼び出し部１１３は、交換機２１０と中継交換機５１０の間には通話回線が１回線分しか確保されていないため、電話端末２０１，２０２が両方空き状態の場合、着信先の電話端末である電話端末２０１に対応する呼び出し信号１を中継交換機５１０に送信する。
【０３２６】
また、交換機３１０では、接続要求部１１２は、電話端末３０２が空き状態であれば、電話端末３０２，１０２に呼び出し信号３の送信を開始するよう呼び出し部１１３に指示する（ステップ８０１６〜８０１８）。
【０３２７】
中継交換機５１０は、交換機２１０もしくは交換機３１０から呼び出し信号を受信すると、受信した呼び出し信号を交換機１１０に転送する。このとき、中継交換機５１０は、交換機１１０との間に通話回線が１回線分しか確保されていないため、交換機２１０，３１０の両方から呼び出し信号を受信した場合、着信先の電話端末である電話端末２０１を収容している交換機２１０から送信されてきた呼び出し信号を優先して交換機１１０に転送する（ステップ８０１９）。
【０３２８】
交換機１１０では、中継交換機５１０から呼び出し信号を受信すると、呼び出し信号部１１３は、受信した呼び出し信号を電話端末１０２に転送する（ステップ８０２０）。
【０３２９】
ここで、電話端末２０２は、呼び出し信号２に応答する操作が行われることにより、応答信号２を交換機２１０に送信する。
【０３３０】
次に、図６のステップ２０２８と同様に、交換機２１０から着信応答信号２が中継交換機５１０に送信される（ステップ８０２１）。このとき、交換機２１０では、着信応答部１１４は、電話端末２０１を通話回線に接続する。
【０３３１】
次に、図６のステップ２０２９と同様に、中継交換機５１０から着信応答信号２が交換機１１０に転送される（ステップ８０２２）。
【０３３２】
次に、図６のステップ２０３０と同様に、交換機１１０から着信応答信号２が位置情報サーバー６２０に転送される（ステップ８０２３）。このとき、交換機１１０では、着信応答部１１４は、電話端末１０２を通話回線に接続する。
【０３３３】
次に、図６のステップ２０３１と同様に、位置情報サーバー６２０から、電話端末２０１，３０２の電話番号を含むグループ接続停止信号が交換機１１０に送信される（ステップ８０２５）。
【０３３４】
次に、図６のステップ２０３２，２０３４と同様に、交換機１１０から接続停止要求信号１，３が中継交換機５１０に送信される（ステップ８０２６，８０２８）。
【０３３５】
次に、図６のステップ２０３３，２０３５と同様に、中継交換機５１０から、接続停止要求信号１が交換機２１０に転送され、接続停止要求信号３が交換機３１０に転送される（ステップ８０２７，８０２９）。
【０３３６】
次に、図６のステップ２０３６〜２０３８と同様に、交換機２１０で呼び出し信号１，２の送信が停止され、交換機３１０で呼び出し信号３の送信が停止される（ステップ８０３０〜８０３２）。
【０３３７】
次に、中継交換機５１０と交換機３１０は、不要となった通話回線を解放する（ステップ８０３３〜８０３４）。
【０３３８】
その後、電話端末１０２と電話端末２０２の間で通話が開始される（ステップ８０３５）。
【０３３９】
なお、本実施形態における各交換機の変更点を、第２または第３の実施形態に反映させた場合、交換機１１０〜４１０は、所定の呼び出し時間の計測が完了する度に、位置情報サーバーから通知される近隣電話端末に対して接続要求信号を送信する必要がある。この場合にも、各交換機は、接続要求信号を他の交換機に送信する際に、他の交換機との間に通話回線が確保されていない場合に通話回線を確保するため、各交換機間では１回線分しか通話パスは確保されない。
【０３４０】
上述したように、本実施形態においては、各交換機では、接続要求信号のうち送信先の他の交換機が同一の接続要求信号を１つにまとめて送信する。また、各交換機は、接続要求信号を送信する他の交換機との間に、通話回線が確保されていなければ１回線分通話回線を確保する。
【０３４１】
そのため、各交換機間では、１回線分の通話回線しか確保されない。
【０３４２】
このように、第１〜第３の実施形態の効果に加え、使用する電話交換機網のリソースを抑えることが出来るという効果が得られる。
【図面の簡単な説明】
【０３４３】
【図１】本発明の第１の実施形態の電話システムの構成を示すブロック図である。
【図２】図１に示した位置情報サーバーの構成の一例を示すブロック図である。
【図３】図１に示した交換機の構成の一例を示すブロック図である。
【図４】図１に示した電話端末の位置関係を説明する図である。
【図５】図１に示した電話システムの動作を説明する図である。
【図６】図１に示した電話システムの動作を説明するフローチャートである。
【図７】図１に示した電話端末の位置関係を説明する図である。
【図８】図１に示した電話システムの動作を説明するフローチャートである。
【図９】本発明の第２の実施形態の電話システムの構成を示すブロック図である。
【図１０】図９に示した位置情報サーバーの構成の一例を示すブロック図である。
【図１１】図９に示した電話端末の位置関係を説明する図である。
【図１２】図９に示した電話システムの動作を説明する図である。
【図１３】図９に示した電話システムの動作を説明するフローチャートである。
【図１４】図９に示した電話システムの動作を説明するフローチャートである。
【図１５】本発明の第３の実施形態の電話システムの動作を説明する図である。
【図１６】本発明の第３の実施形態の電話システムの動作を説明する図である。
【図１７】本発明の第３の実施形態の電話システムの動作を説明する図である。
【図１８】本発明の第３の実施形態の電話システムの動作を説明する図である。
【図１９】本発明の第３の実施形態の電話システムの動作を説明するフローチャートである。
【図２０】本発明の第４の実施形態の電話システムの動作を説明するフローチャートである。
【図２１】本発明の第５の実施形態の電話システムの構成を示すブロック図である。
【図２２】図２１に示した電話システムの動作を説明する図である。
【図２３】図２１に示した電話システムの動作を説明するフローチャートである。
【図２４】一般的な電話システムの構成の一例を示すブロック図である。
【図２５】図２４に示した電話システムの動作を説明する図である。
【図２６】図２４に示した電話システムの動作を説明するフローチャートである。
【符号の説明】
【０３４４】
１００〜４００，１１０〜４１０    交換機
１０１〜１０３，２０１〜２０３，３０１〜３０３，４０１〜４０３    電話端末
１１１    通信部
１１２    接続要求部
１１３    呼び出し部
１１４    着信応答部
１１５    接続停止部
５００，５１０    中継交換機
６００，６１０，６２０    位置情報サーバー
６１１    制御端末インタフェース部
６１２    交換機インタフェース部
６１３    範囲情報設定部
６１４    位置情報データベース
６１５，６２５    グループ接続制御部
６１６    判別部
６１７    通知部
６２６    タイマー部
【図１】
2009267597.tif 000003
【図２】
2009267597.tif 000004
【図３】
2009267597.tif 000005
【図４】
2009267597.tif 000006
【図５】
2009267597.tif 000007
【図６】
2009267597.tif 000008
【図７】
2009267597.tif 000009
【図８】
2009267597.tif 000010
【図９】
2009267597.tif 000011
【図１０】
2009267597.tif 000012
【図１１】
2009267597.tif 000013
【図１２】
2009267597.tif 000014
【図１３】
2009267597.tif 000015
【図１４】
2009267597.tif 000016
【図１５】
2009267597.tif 000017
【図１６】
2009267597.tif 000018
【図１７】
2009267597.tif 000019
【図１８】
2009267597.tif 000020
【図１９】
2009267597.tif 000021
【図２０】
2009267597.tif 000022
【図２１】
2009267597.tif 000023
【図２２】
2009267597.tif 000024
【図２３】
2009267597.tif 000025
【図２４】
2009267597.tif 000026
【図２５】
2009267597.tif 000027
【図２６】
2009267597.tif 000028